(57)【特許請求の範囲】
【請求項１】
解剖学的ランドマークを基準にして内視鏡装置の挿入深さを決定するシステムであって、
前記内視鏡の少なくとも一部の長さに沿って配置された複数の検知可能なタグと、
前記内視鏡装置の外部にある第１の検知装置であって、前記内視鏡装置が前記第１の検知装置を通過するとき、それぞれの前記タグが前記第１の検知装置に近接して前記第１の検知装置がそれぞれの前記タグに関連付けされた情報を検知する前記第１の検知装置と、
前記内視鏡装置の外部にある第２の検知装置であって、前記内視鏡装置が前記第２の検知装置を通過するとき、それぞれの前記タグが前記第２の検知装置に近接して前記第２の検知装置がそれぞれの前記タグに関連付けされた情報を検知する前記第２の検知装置と、
それぞれの前記タグに関連付けされた情報を記録し格納するシステムと、
前記解剖学的ランドマークを基準とする前記第１の検知装置の位置、及び、直近に検知された前記タグに関連付けされ記録し格納された情報に基づいて、前記解剖学的ランドマークを基準とした前記内視鏡装置の挿入深さを即時に決定する挿入深さ決定システムと、
前記第１の検知装置によって検知された特定のタグに関連付けされた情報と前記第２の検知装置によって検知された特定のタグに関連付けされた情報とを比較することによって前記内視鏡装置の移動方向を決定する移動方向決定システムと、
を備え、
それぞれの前記タグは、それぞれの前記タグに固有の値を、前記第１の検知装置及び前記第２の検知装置に検知させるシステム。
【請求項２】
それぞれの前記タグは、磁界を変化させる材料を含み、
前記第１の検知装置及び前記第２の検知装置は、圧力センサに結合された磁石をそれぞれ有し、
それぞれの前記タグが前記第１の検知装置又は前記第２の検知装置に近接するに従ってそれぞれの前記タグに関連付けされて検知される情報は、前記圧力センサによって検知され、磁界を変化させる前記材料に応える前記磁石の引力又は反発力を含む、請求項１に記載のシステム。
【請求項３】
前記第１の検知装置及び前記第２の検知装置は、光学センサをそれぞれ有する請求項１に記載のシステム。
【請求項４】
複数の検知可能な前記タグは、前記内視鏡装置の表面の特徴を含み、
前記第１の検知装置及び前記第２の検知装置は、前記内視鏡装置が前記検知装置を通過するときの表面の特徴を検知する画像システムをそれぞれ有する、請求項１に記載のシステム。
【請求項５】
それぞれの前記タグは、固有の磁気特性を有する磁石を含む請求項１に記載のシステム。
【請求項６】
前記タグは、ＲＦ識別タグ、超音波検知のためのタグ、コード化された受動的マーカ、コード化されたアクティブマーカ、赤外線検知のためのタグ及び磁気的なタグから成る群から選択される請求項１に記載のシステム。
【請求項７】
前記第１の検知装置及び前記第２の検知装置は、少なくとも一つの圧力センサをそれぞれ有し、
前記タグは、前記圧力センサを駆動させる前記内視鏡装置に関する特徴を含む、請求項１に記載のシステム。
【請求項８】
それぞれの前記タグは、前記内視鏡装置の直径の変化を含む請求項１に記載のシステム。
【請求項９】
前記第１の検知装置によって検知された特定のタグに関連付けされた情報、及び、前記第２の検知装置によって検知された特定のタグに関連付けされた情報は、電圧の変化を含む請求項１に記載のシステム。
【発明の詳細な説明】
【発明の分野】
【０００１】
[0001]本発明は、概して、内視鏡、及び内視鏡を用いた医療処置に関する。特に、本発明は、柔軟な内視鏡の挿入及び／又は引き出しを、例えば結腸鏡検査及び処置のために蛇行路に沿って追跡するための方法及び装置に関する。
【発明の背景】
【０００２】
[0002]内視鏡は、患者の身体内部を視覚化するための医療機器である。内視鏡は、結腸鏡検査、気管支鏡検査、胸腔鏡検査、腹腔鏡検査及びビデオ内視鏡検査を含む種々の診断法及びインターベンショナルな処置のために用いられることができる。
【０００３】
[0003]結腸鏡検査法は、結腸の診断検査及び／又は結腸の外科的治療のために、柔軟な内視鏡又は結腸鏡を患者の結腸内に挿入する医療処置である。標準的な結腸鏡は、典型的に、長さが１３５ｃｍ〜１８５ｃｍ、直径が１２ｍｍ〜１９ｍｍであり、光ファイバイメージングバンドル、又は、器具の先端に配置された小型カメラ、照明ファイバ、１又は２つの器具チャネル（通気若しくは灌注のためにも用いられ得る）、空気及び水の通路、並びにバキュームチャネルを含む。結腸鏡は、通常、患者の肛門を通して挿入され、結腸内を前進させられ、結腸、回盲弁、及び、末端回腸の一部の直接視診を可能にする。結腸鏡の挿入は、結腸が、曲がりくねった回旋状の通路を成しているという事実により複雑である。結腸鏡を結腸内で前進させるためには結腸鏡のかなりの程度の操作がしばしば必要であり、これが、処置をより困難で時間がかかるものにし、また、合併症、例えば腸穿孔の可能性を高めている。結腸の湾曲部を通る適切な通路の選択を容易にするために、操縦可能な結腸鏡が考案されてきた。しかし、結腸鏡を結腸内により一層深く挿入するに従い、結腸鏡を、選択された通路に沿って前進させることがより困難になる。各ターンにて、結腸の壁は結腸鏡のカーブを維持しなければならない。結腸鏡は、結腸の粘膜表面を各ターンの外側に沿って擦る。結腸鏡の摩擦及び弛みが各ターンにて蓄積し、内視鏡の前進及び後退をより一層困難にする。さらに、結腸の壁に加えられる力は、摩擦の蓄積により増大する。結腸が極度に曲がりくねっている場合、結腸鏡を結腸の通路全体に前進させられなくなることがある。
【０００４】
[0004]結腸鏡処置において生じる別の問題は、例えば、結腸鏡の長く細い管にループが形成されることである。このようなループは、内視鏡が障害物に遭遇し、又は狭い通路で行き詰るときに生じ得る。内視鏡は、前進せずに、患者の内部でループを形成する。内視鏡の挿入を続行しようとすると、過剰な力が加えられて、患者の身体内の繊細な組織を損傷することがある。外科医は、問題の発生に気づかずに内視鏡の挿入を続行しようとすることがある。
【０００５】
[0005]ユーザは、内視鏡の遠位端から伝達される画像を、視覚画像診断装置を通して観察できる。これらの画像、及び、内視鏡が通った経路を知ることにより、ユーザは通常、内視鏡の位置を決定することができる。しかし、患者の身体内での内視鏡の位置を極めて正確に決定することは困難である。これは、内視鏡の位置を、自動制御式内視鏡装置、例えば、米国特許第６，４６８，２０３号；２００１年１０月２日に出願された米国特許出願０９／９６９，９２７号；２００２年８月２７日に出願された米国特許出願１０／２２９，５７７号；２００２年３月１日に出願された米国特許出願１０／０８７，１００号；及び、２００２年５月２日に出願された米国特許出願１０／１３９，２８９号に記載されている装置を用いて決定しようとすると、さらに困難になる。これらの特許及び特許出願の各々の全てを援用して本文の記載の一部とする。
【０００６】
[0006]内視鏡の配置を判断するために用いられる別の方法は、Ｘ線撮像である。用いられるさらに別の方法は、磁界を用いた位置検出であり、これは、患者及び操作者のＸ線被爆を回避する。このような方法は、典型的に、低周波磁界を介した磁気的位置測定を用いて、内視鏡管内に埋め込まれた小型センサの位置を決定する。連続的な時間におけるセンサの位置に基づいて、内視鏡管の形状の画像が形成される。
【０００７】
[0007]別の方法は、外科医が装置を処置中の患者の身体内に適切に配置することを補助できる一連のマーキングを内視鏡上に配置することである。これらのマーキングは、装置の身体内での位置又は移動を示すための、バンド、ドット、文字、番号、色又は他のタイプの表示を含むことができる。視覚的に識別可能なマークが、しばしば、予め決められた規則的な間隔で配置される。このような表示システムは、装置に組み込まれ又は装置上にプリントされた、何らかの放射線不透過性の金属又は化合物を用いることにより、蛍光透視下で目視可能にされることができる。
【０００８】
[0008]しかし、これらの方法の各々は、患者の身体内での内視鏡の位置が正確に求められる場合、融通性及び適応性に限界がある。また、このような従来の位置決定方法は、多くの場合、内視鏡が患者内部で前進又は後退されているときのリアルタイムの位置を考慮していない。
【発明の概要】
【０００９】
[0009]患者の身体器官内に挿入される内視鏡又は結腸鏡の長さに関する情報が、身体器官、解剖学的ランドマーク、異常部などをマッピング（位置決め）することを補助するために、及び／又は、内視鏡の全長に沿った身体内での位置をリアルタイムに認識し続けるために用いられ得る。これは、操縦可能な遠位部、及び、例えばコントローラにより自動制御され得る自動制御式近位部を有する様々な内視鏡及び／又は結腸鏡と共に用いるときに特に有用である。このような装置の例は、以下の付与された特許及び同時係属出願、すなわち、米国特許第６，４６８，２０３号；２００１年１０月２日に出願された米国特許出願０９／９６９，９２７号；２００２年８月２７日に出願された米国特許出願１０／２２９，５７７号；２００２年３月１日に出願された米国特許出願１０／０８７，１００号；及び、２００２年５月２日に出願された米国特許出願１０／１３９，２８９号に詳細に記載されている。これらの特許及び特許出願の各々を援用して本文の記載の一部とする。
【００１０】
[0010]内視鏡の挿入深さ及び／又は位置を決定するための１つの方法は、十分に機器装備された内視鏡装置を用いることである。このような内視鏡装置には、内視鏡の挿入深さを、別個の又は外部の検知装置を必要とせずに決定し、また、決定したこの情報を、手術の実施に関わる操作者、外科医、ナース又は技術者に伝達するように構成された特徴物又は要素が組み込まれている。別の方法は、内視鏡から独立し、且つ内視鏡の外部にある検知装置を用いることである。この検知装置は、内視鏡に接続されても、又は接続されなくてもよい。このような検知装置は、内視鏡と相互作用し、内視鏡のどの部分が基準境界線を通過したかを決定する。この外部検知装置を、本文中にて、基準物又は基準装置とも互換的に称し得る。なぜなら、この装置は、内視鏡及び／又は患者の位置に対する基準点としても機能し得るからである。この基準装置は、内視鏡の外部に配置されることができ、且つ、患者の身体の内部又は外部のいずれにも配置され得る。従って、内視鏡と基準装置との相互作用は、直接接触的な相互作用又は非接触的相互作用であり得る。
【００１１】
[0011]機器装備された内視鏡は、測定を、内視鏡全体（又は内視鏡の長さの少なくとも一部）のステータスをポーリング（監視）し、次いで、内視鏡の位置を、解剖学的境界又はランドマーク（例えば、結腸鏡の場合は肛門）に関連付けて決定することにより達成し得る。ポーリングによる情報は、装置の長さに沿って配置された多数のセンサにより得られる。検知される情報は、内視鏡の全長（又は内視鏡の長さの少なくとも一部）から得られるため、内視鏡を身体に挿入し又は身体から引出す方向は省かれ得る。なぜなら、内視鏡の即時のステータスがセンサにより提供され得るからである。
【００１２】
[0012]挿入深さを決定するために機器装備されている内視鏡とは別に、他の内視鏡のバリエーションが、別個の外部装置と共に用いられ得る。これらの装置は、身体に取り付けられても、取り付けられなくてもよく、また、内視鏡の挿入深さを測定及び／又は記録するように構成されている。この装置を、外部検知装置、又は基準若しくは基準装置と称し得る。これらの用語は本文中で互換的に用いられる。なぜなら、外部検知装置が、内視鏡及び／又は患者の位置に対する基準点としても機能し得るからである。この基準装置は、内視鏡の外部に配置されることができ、且つ、患者の身体の内部又は外部のいずれにも配置され得る。従って、内視鏡と基準装置との相互作用は、直接接触的な相互作用又は非接触的相互作用であり得る。さらに、基準装置は、センサのステータスをポーリングすることにより位置情報を検知し又は読み取るように構成され得る。センサは、内視鏡が、例えば肛門を通して身体内に挿入されるときに、内視鏡の本体に沿って配置され得る。基準装置は、患者の外部に配置されることができ、例えば患者が寝かされているベッド又は台の上に配置され、別のカートに取り付けられ、又は、患者の身体に着脱可能に取り付けられなどする。
【００１３】
[0013]処置中に何等かの大きな移動があっても患者が移動できないように横たえられるのであれば、基準装置は、室内の別の固定点に固定されることにより、固定された基準点として機能し得る。或いは、基準装置は、内視鏡を患者の身体に挿入する地点に対する固定位置にて、患者に直接取り付けられ得る。例えば、結腸鏡検査のためには、基準装置は患者の身体上の肛門付近に配置され得る。基準装置を配置する位置は、理想的には、肛門に対する移動が最小限の位置である。なぜなら、このような処置中に、患者が位置を変え、痙攣、屈曲などして内視鏡の測定を妨げることがあるからである。従って、基準装置は、身体上の幾つかの場所の１つに配置され得る。
【００１４】
[0014]１つの位置は、殿裂に沿った位置であり得る。殿裂は、殿筋の間に画成された、一般に肛門から下背に向かって延在する溝である。殿裂は、概して、脂肪層及び筋肉をほとんど又は全く有さず、また、肛門に対して、認められる程度の移動をしない。或いは、基準装置は、肛門付近の殿筋上に直接配置されてもよい。
【図面の簡単な説明】
【００１５】
【図１Ａ】器具の長さにわたる電気回路を有する内視鏡の例を示す。
【図１Ｂ】図１Ａの装置の、患者に挿入される前の例を示す。
【図１Ｃ】装置が装置の位置を、患者の肛門を通して前進されるときに検知する様子を示す。
【図１Ｄ】図１Ａの内視鏡の一バリエーションの断面図である。
【図２Ａ】挿入されている深さ又は位置を検知するための一連の個々のセンサ又はスイッチを有する内視鏡装置を示す。
【図２Ｂ】挿入されている深さ又は位置を検知するための一連の個々のセンサ又はスイッチを有する内視鏡装置を示す。
【図３Ａ】多数のセンサが内視鏡の長さに沿って不連続の位置に配置され得る、内視鏡の別の例を示す。
【図３Ｂ】図３Ａの装置の、個々のセンサワイヤが内視鏡の長さに沿ってセンサの各々に接続されている様子を示す。
【図４】センサワイヤの対が内視鏡の長さに沿って配置されることができ、不連続の位置にて終端となる別の例を示す。
【図５Ａ】内視鏡の位置が、隣り合うセンサリング間の抵抗の測定により決定され得る、内視鏡の別の例を示す。
【図５Ｂ】内視鏡の位置が、隣り合うセンサリング間の抵抗の測定により決定され得る、内視鏡の別の例を示す。
【図５Ｃ】内視鏡の位置が、隣り合うセンサリング間の抵抗の測定により決定され得る、内視鏡の別の例を示す。
【図５Ｄ】内視鏡の位置が、隣り合うセンサリング間の抵抗の測定により決定され得る、内視鏡の別の例を示す。
【図６】内視鏡の挿入深さを決定及び記録するために用いられ得るアルゴリズムの例を示す。
【図７Ａ】内視鏡の位置を決定するために外部装置を用い得る内視鏡の例を示す。
【図７Ｂ】内視鏡の位置を決定するために外部装置を用い得る内視鏡の例を示す。
【図７Ｃ】内視鏡の位置を決定するために外部装置を用いる内視鏡の、不均一な直径を有する別の例を示す。
【図８】内視鏡の位置を決定するために用いられ得る外部装置の別の例を示す。
【図９】内視鏡上に配置されたセンサを検知するために用いられ得る、外部装置の別の例を示す。
【図１０】内視鏡の挿入及び／又は引き出しを、少なくとも２つのセンサを用いて決定する一例を示す。
【図１１Ａ】内視鏡が前進されているか、又は後退されているかを決定するために用いられ得る、図１０の２つのセンサからのセンサ読み取りを示すプロットの例を示す。
【図１１Ｂ】内視鏡が前進されているか、又は後退されているかを決定するために用いられ得る、図１０の２つのセンサからのセンサ読み取りを示すプロットの例を示す。
【図１２Ａ】内視鏡の移動方向が図１０の２つのセンサを用いてどのように決定され得るかに関する少なくとも１つの状況を示す。
【図１２Ｂ】内視鏡の移動方向が図１０の２つのセンサを用いてどのように決定され得るかに関する少なくとも１つの状況を示す。
【図１２Ｃ】内視鏡の移動方向が図１０の２つのセンサを用いてどのように決定され得るかに関する少なくとも１つの状況を示す。
【図１２Ｄ】内視鏡の移動方向が図１０の２つのセンサを用いてどのように決定され得るかに関する少なくとも１つの状況を示す。
【図１３】内視鏡の移動方向を決定するために用いられ得るアルゴリズムの例を示す。
【図１４】内視鏡の位置を外部装置を用いて決定するための簡略化された例を示す。
【図１５】外部装置に用いられ得る内視鏡の位置決定の例を示す。
【図１６】単一の磁気装置及び複数のセンサを用いたバリエーションの回路図である。
【図１７Ａ】内視鏡装置の個々のセグメントを、セグメントがセンサを通過するときに検知するための一例を示す。
【図１７Ｂ】内視鏡装置の個々のセグメントを、セグメントがセンサを通過するときに検知するための一例を示す。
【図１８】不連続の永久磁石又は電磁石が内視鏡に沿って配置された内視鏡装置の個々のセグメントを検知するための別の例を示す。
【図１９Ａ】内視鏡装置の個々のセグメントを検知するための、複数の永久磁石又は電磁石を用いる別の例を示す。
【図１９Ｂ】内視鏡装置の個々のセグメントを検知するための、複数の永久磁石又は電磁石を用いる別の例を示す。
【図２０】不連続の永久磁石又は電磁石が内視鏡に沿って配置されている様子を、明瞭化のために内視鏡装置の椎骨状部のみにて示す。
【図２１Ａ】内視鏡に沿って磁石を配置した別の例の側面図である。
【図２１Ｂ】内視鏡に沿って磁石を配置した別の例の断面図である。
【図２２Ａ】鉄材料、又は、磁界を変化させ若しくは磁界に作用し得る他の材料、永久磁石若しくは電磁石を、内視鏡に沿って用いるための別の例を示す。
【図２２Ｂ】鉄材料、又は、磁界を変化させ若しくは磁界に作用し得る他の材料、永久磁石若しくは電磁石を、内視鏡に沿って用いるための別の例を示す。
【図２３】鉄材料、又は、磁界を変化させ若しくは磁界に作用し得る他の材料を細長い支持体又はツールに沿って配置し、次いで従来の内視鏡の作用管腔内に配置し得る別の例を示す。
【図２４Ａ】鉄材料、又は、磁界を変化させ若しくは磁界に作用し得る他の材料を内視鏡の個々の椎骨状部に取り付けるための例を示す。
【図２４Ｂ】鉄材料、又は、磁界を変化させ若しくは磁界に作用し得る他の材料を内視鏡の個々の椎骨状部に取り付けるための例を示す。
【図２４Ｃ】鉄材料、又は、磁界を変化させ若しくは磁界に作用し得る他の材料を内視鏡の個々の椎骨状部に取り付けるための例を示す。
【図２５Ａ】別の検知機構の例、例えば、力の測定を用いた検知機構を示す。
【図２５Ｂ】別の検知機構の例、例えば、力の測定を用いた検知機構を示す。
【図２６Ａ】別の検知機構の例、例えば、ホイール内又はホイール上に一体化された不連続の永久磁石又は電磁石を有する回転可能なホイールを用いた検知機構を示す。
【図２６Ｂ】別の検知機構の例、例えば、ホイール内又はホイール上に一体化された不連続の永久磁石又は電磁石を有する回転可能なホイールを用いた検知機構を示す。
【図２７】殿裂に沿って又は殿裂内に配置され得る基準装置の一例を示す。
【図２８】柔軟で細長い部材を用いて、殿裂に沿って又は殿裂内に位置合わせもされ得る基準装置の別の例を示す。
【図２９Ａ】基準装置センサのための可能な構造の１つを示す。
【図２９Ｂ】基準装置センサのための可能な構造の１つを示す。
【図３０Ａ】センサを患者に固定するための基準装置の配置の別の例を示す。
【図３０Ｂ】センサを患者に固定するための基準装置の配置の別の例を示す。
【図３１】使い捨て用の基板内でセンサが用いられる、基準装置の別の例を示す。
【図３２Ａ】肛門付近の一方の臀部上に配置され得る、基準装置の別の例を示す。
【図３２Ｂ】肛門付近の一方の臀部上に配置され得る、基準装置の別の例を示す。
【図３３Ａ】肛門付近の一方の臀部上に配置され得る、基準装置の別の例を示す。
【図３３Ｂ】肛門付近の一方の臀部上に配置され得る、基準装置の別の例を示す。
【図３３Ｃ】肛門付近の一方の臀部上に配置され得る、基準装置の別の例を示す。
【図３４】肛門付近の一方の臀部上に配置され得る、基準装置のさらに別の例を示す。
【図３５】肛門付近の一方の臀部上にも配置され得る、多数のセンサを有する、基準装置のさらに別の例を示す。
【図３６】ケースに覆われた基準装置の例を示す。
【図３７】殿裂をわたり両臀部上に配置され得る基準装置の例を示す。
【図３８Ａ】使用中の内視鏡を取り囲むように用いられ得る基準装置の例を示す。
【図３８Ｂ】使用中の内視鏡を取り囲むように用いられ得る基準装置の例を示す。
【図３９】衣類の生地に、肛門を取り囲む領域にて組み込まれ得る基準装置の例を示す。
【発明を実施するための形態】
【００１６】
[0059]内視鏡又は結腸鏡の、患者の身体器官内に、又は任意の閉鎖空間内に一般的に挿入される長さの決定は、有用な情報であり、身体器官、解剖学的ランドマーク、異常部などのマッピングを補助するために、及び／又は、身体内での内視鏡の位置をリアルタイムに認識し続けるために用いられ得る。用語「内視鏡」と「結腸鏡」は、本文において互換的に用いられ得るが、同じタイプの装置を示すものとする。このような情報は、操縦可能な遠位部、及び、例えばコントローラにより自動制御され得る自動制御式近位部を有する様々な内視鏡及び／又は結腸鏡と共に用いるときに特に有用である。このような装置の例は、以下の付与された特許及び同時係属出願、すなわち、米国特許第６，４６８，２０３号；２００１年１０月２日に出願された米国特許出願０９／９６９，９２７号；２００２年８月２７日に出願された米国特許出願１０／２２９，５７７号；２００２年３月１日に出願された米国特許出願１０／０８７，１００号；及び、２００２年５月２日に出願された米国特許出願１０／１３９，２８９号に詳細に記載されている。これらの特許及び特許出願の各々を援用して本文の記載の一部とする。
【００１７】
[0060]少なくとも２つの異なる方法が、内視鏡が身体内に挿入されたときに内視鏡の挿入深さ及び／又は位置を決定するために用いられ得る。１つの方法は、十分に機器装備された内視鏡装置を用いることである。このような内視鏡装置には、内視鏡の挿入深さを決定し、決定したこの情報を、手術の実施に関わる操作者、外科医、ナース又は技術者に伝達するように構成された特徴物又は要素が組み込まれている。
【００１８】
[0061]別の方法は、内視鏡から独立し、且つ内視鏡の外部にある検知装置を用いることである。このような検知装置は、内視鏡と相互作用し、内視鏡のどの部分が基準境界線を通過したかを決定する。この外部検知装置を、本文中にて、基準物又は基準装置とも互換的に称し得る。なぜなら、この装置は、内視鏡及び／又は患者の位置に対する基準点としても機能し得るからである。この基準装置は、内視鏡の外部に配置されることができ、且つ、患者の身体の内部又は外部のいずれにも配置され得る。従って、内視鏡と基準装置との相互作用は、直接接触的な相互作用又は非接触的相互作用であり得る。
【００１９】
機器装備された内視鏡
[0062]内視鏡の挿入深さ及び／又は位置を決定するための１つの方法は、挿入深さを決定するように構成され得る内視鏡装置による方法である。すなわち、内視鏡装置が、身体器官内に挿入された内視鏡の一部を、別個の又は外部の検知装置を必要とせずに示すように構成され得る。このタイプの決定は、配置された内視鏡を、内視鏡の深さの測定が、内視鏡を身体器官に挿入し又は身体器官から引き出しているときの内視鏡の進行とは独立であるように反映することができ、内視鏡の挿入深さを、挿入履歴に関係なく即時に反映する。
【００２０】
[0063]このような内視鏡装置は、このような決定を、部分的には、内視鏡全体（又は内視鏡の長さの少なくとも一部）のステータスをポーリング（監視）し、次いで、内視鏡の位置を、解剖学的境界又はランドマーク（例えば、結腸鏡の場合は肛門）に関連付けて決定することにより達成し得る。ポーリングによる情報は、装置の長さに沿って配置された多数のセンサにより得られることができ、これに関しては、以下にさらに詳細に記載する。検知される情報は、内視鏡の全長（又は内視鏡の長さの少なくとも一部）から得られるため、内視鏡を身体に挿入し又は身体から引出す方向は省かれ得る。なぜなら、内視鏡の即時のステータスがセンサにより提供され得るからである。診査又は診断処置中の、内視鏡の方向に関する情報又は位置の履歴は、内視鏡の挿入深さの履歴を見直すことにより随意に記録及び／又は保存され得る。
【００２１】
[0064]一バリエーションが図１Ａに見られ、図１Ａは内視鏡組立体１０を示す。内視鏡１２は、内視鏡１２のシャフトの長さにわたって配線された少なくとも１つの回路１４を有するように構成され得る。また、回路１４は、シャフト長さの一部のみ、又はシャフト長さの大部分にわたって配線され得る。この配線の比率は、操作者、外科医又は技術者が望む、センサとして作用するシャフトの比率による。こうして、単一の回路１４により、内視鏡１２は、単一の連続センサとして機能するように構成され得る。以下により詳細に説明するように、実際に用いられるセンサのタイプに応じて、センサが受信する出力変数の変化が測定及び記録され得る。そして、出力変数の変化の程度が、身体内に挿入された内視鏡１２の長さと関連付けられ得る。出力変数は、内視鏡１２が遭遇する、変動する環境因子にも基づき得る。例えば、回路１４により検知される、出力変数の変化をもたらし得る環境因子の一例は、周囲組織、例えば、内視鏡１２が身体内に最初に挿入される部位である肛門から検知される圧力を含み得る。別の因子は、例えば内視鏡１２が身体内に挿入されるときの組織からの導電率の変化を含み得る。
【００２２】
[0065]或いは、内視鏡１２は、内視鏡１２の、身体内部に入っている長さではなく身体外部に残っている長さを検知し、それにより挿入深さを間接的に計算するよう関連付けるように構成され得る。また、内視鏡１２は、身体外部に残っている内視鏡１２の長さと、身体内に挿入された内視鏡１２の長さとの両方を検知し、これらの長さを相関させ得る。或いは、内視鏡１２は、穴すなわち肛門２０の、装置の長さに沿った位置を検知し、次いで、身体外部に残っている長さ、又は、肛門２０の位置に対する挿入長さを計算し得る。
【００２３】
[0066]出力変数の変化をもたらす環境因子の変動の別の例が図１Ｂ及び図１Ｃに示されている。これらの図は、容量式検知を行う内視鏡装置として構成された内視鏡組立体１０の例を示す。図１Ｂに見られるように、患者１８が、接地２２に接続され得る台及び／又は接地パッド１６の上に配置され得る。図１Ｃは、内視鏡１２が患者１８の肛門２０内に挿入されている様子を示す。内視鏡１２を患者１８に挿入する前又は挿入中に、一定の入力電流を内視鏡１２に供給することができ、これに応じて電圧が測定され得る。こうして、概略図２４に示されているように、内視鏡１２はコンデンサ内のプレートとして機能することができ、患者１８の身体下に置かれた接地パッド１６は、内視鏡１２に対向する第２のプレートとして機能し得る。内視鏡１２と接地パッド１６の間に生じる静電容量（キャパシタンス）が、電流ｉの値、時間ｔに基づいて、及び／又は、入力周波数と得られた周波数との、測定された位相シフト差に基づいて計算され得る。内視鏡１２が肛門２０に挿入され、又は肛門２０から引き出されるとき、計算される静電容量は、患者１８の組織の誘電率と空気の誘電率との差に従って変化するであろう。この静電容量の変化は、常にモニタリングされ、患者１８の内部に挿入された内視鏡１２の長さを示すために、内視鏡１２の長さに対して位置付け(mapped)され得る。
【００２４】
[0067]内視鏡検知における別のバリエーションは、静電容量ではなく電気抵抗を利用し得る。例えば、連続回路１４が、導電性プリントカーボンで覆われた単一のプリント回路に構成され得る。図１Ｄは、このように構成された内視鏡１２の断面の一バリエーションを示す。図１Ｄに見られるように、導電性のプリントカーボン層２５がフレックスプリント回路２６内に、内視鏡内部２８を取り囲んで周方向に配置され得る。内視鏡１２は、内視鏡及びその電子素子を覆う外側ジャケット又はシース２７により随意に覆われ得る。使用において、内視鏡１２が患者１８内に、例えば肛門２０を通して挿入されるとき、身体内への挿入地点における周囲組織からの圧力が、内視鏡１２内でカーボン層２５とフレックス回路２６とを接触させ、それにより、挿入地点にて回路１４を閉じる。内視鏡１２が肛門２０に挿入され、また肛門２０から引き出されるとき、カーボン層２５とフレックス回路２６との接触点は、挿入時に圧力が加えられる場所に従って変化することになり、回路１４の抵抗は、いつでも測定され、肛門２０内に挿入された長さを示すために、内視鏡１２の長さに対して位置付けされ得る。
【００２５】
[0068]別のバリエーションが図２Ａ及び図２Ｂに示されている。これらの図は、内視鏡の挿入深さ又は位置を検知するための一連の個々のセンサ又はスイッチを有する内視鏡装置を示す。内視鏡３０が、連続回路を有する内視鏡として示されており、連続回路は、装置３０の長さに沿って配置された、複数の開いた個々のスイッチ又は導電セクション３２を有する。スイッチＳ１〜ＳＮが、内視鏡１２に沿って一定の間隔で配置され得る。スイッチ間の間隔は変化させることができ、これは、内視鏡の位置決定に関する所望の精度に対応し得る。スイッチを、より正確な読み取りをさせるために互いにより近接して配置することができ、反対に、スイッチを互いにより遠ざけて配置すると、より精度の低い決定が行われ得る。また、スイッチは、互いに対して均等な距離で配置されることができ、或いは、所望の結果に応じて不規則な間隔で配置され得る。また、スイッチは、様々な導電性の形態であってよく、例えば、膜スイッチ、感圧抵抗素子（ＦＳＲ）などであり得る。
【００２６】
[0069]用いられ得るタイプのスイッチの別のバリエーションは、光検知トランスデューサである。スイッチＳ１〜ＳＮが、多種多様なタイプの感光スイッチ、例えば、光電子放出検知器、光導電セル、光起電力電池、フォトダイオード、フォトトランジスタなどの１つとして構成され得る。スイッチＳ１〜ＳＮは、内視鏡３０の長さに沿った予め決められた位置に配置され得る。内視鏡３０が患者１８に挿入されると、患者１８の外部から患者１８の内部への周囲光の変化が、患者１８内に挿入されたスイッチの電圧を変化させ得る。この変化により、内視鏡３０の、身体１８内での挿入深さ、又は、まだ身体１８の外部に位置する内視鏡３０の長さを示し得る。先に記載したタイプの感光性スイッチは、光起電性スイッチ以外は、処置中にスイッチに電流が流され得る。光起電性スイッチは、完全に、身体１８の外部の周囲光により電力供給され得る。
【００２７】
[0070]図２Ｂは、図２Ａの装置の回路図３４を示す。図示されているように、Ｓ１〜ＳＮが、互いに対して平行であるように配置され得る。内視鏡１２を患者１８内に挿入し又は患者１８から引き出すと、例えば、導電性組織との相互作用、スイッチを閉じる肛門からの圧力、湿度又はｐＨの変化、温度変化、光強度の変化などにより、スイッチが作動し、すなわちスイッチが閉じ得る。特定のスイッチの閉鎖は、内視鏡１２が肛門２０内にどれくらい深く挿入されるかにより変化する。特定のスイッチが電気的に作動しているとき、対応する抵抗（Ｒ１〜ＲＮ）の値が測定され、次いで、挿入長さを示すために内視鏡１２に対して位置付けされ得る。
【００２８】
[0071]別のバリエーションが図３Ａ及び図３Ｂに示されている。これらの図は、内視鏡４０が、内視鏡４０の長さに沿って配置された多数のセンサを不連続位置に有する様子を示す。このバリエーションにおいて、多数のセンサワイヤが内視鏡１２の長さに沿って、図３Ｂに示されているように各ワイヤが内視鏡１２の長さに沿った順次位置にて終端となるように配置され得る。３本のワイヤのみが示されているが、これは説明のためのものに過ぎず、より少数又はより多数の任意の数のワイヤを、機器装備される内視鏡１２の所望の長さに応じて用い得る。センサワイヤ４６’，４８’，５０’の遠位端の配置は、内視鏡１２構造物の椎骨状部又は連結部の数に合致し得る。センサワイヤ４６’，４８’，５０’は、内視鏡１２の長さにわたって内視鏡１２内に簡単に配線されても、又は、装置の外側に沿って配置されてもよい。ワイヤの遠位端は、組織との連通を可能にするように露出されることができ、或いは、ワイヤの遠位端は、各々、内視鏡１２を多数のセグメントに分割している対応する導体４２に接続され得る。随意に用いられるこれらの導体４２は、組織との周方向の接触を可能にするリングの形状に形成され得る。こうして、各センサワイヤ４６’，４８’，５０’は、それぞれ、対応する導体４６，４８，５０と電気的に連通する。この連通は、用いられるワイヤと、それに対応する導体の数に応じて同様である。個々のセンサを単一のバス上でネットワーク接続させることもでき、また、より複雑なネットワーク及びセンサの配置も、さらなる情報、例えば内視鏡１２の回転位置の情報をもたらすために用い得る。センサワイヤ４６’，４８’，５０’の近位端は、各々、対応するプロセッサ５２，５４，５６に接続されることができ、こうして、肛門２０内に挿入された内視鏡１２の長さが、個々のセンサワイヤ４６’，４８’，５０’の各々のステータスをポーリングすることにより決定され得る。
【００２９】
[0072]図４は、内視鏡組立体の別のバリエーション６０を示す。組立体６０において、ワイヤセンサの対応する対が、内視鏡６２の本体に沿って配置され得る。ワイヤセンサの第１の対６４が内視鏡６２に沿って延在し、第１の遠位位置にて終端となり得る。ワイヤセンサの第２の対６６も内視鏡６２に沿って延在し、第１遠位位置よりも近位の第２の遠位位置にて終端となり得る。また、ワイヤセンサの第３の対６８も内視鏡６２に沿って延在し、第２遠位位置よりも近位の第３の遠位位置にて終端となり得る。その他のワイヤセンサの対も同様に配置され得る。任意の数のワイヤの対を用いることができ、第１の遠位位置、第２の遠位位置、第３の遠位位置などの各遠位位置間の距離は、所望の測定結果に応じて、均一でも、又は不規則でもよい。このバリエーション６０は、患者にセンサを挿入し、又はセンサを引き出すときにワイヤセンサのいずれの対が作用を受けるかを測定することにより、上記のバリエーションと同様に機能し得る。
【００３０】
[0073]さらに別の例が図５Ａ〜図５Ｄに示されている。この例は、内視鏡７２を含み得る内視鏡組立体７０を示し、内視鏡７２は、内視鏡７２の長さに沿って配置された少なくとも１以上の、好ましくは少なくとも２以上の導電センサ７４を有する。センサ７４は、リングの形状を有することができ、さらに、隣り合う各リング間の抵抗を測定するように構成され得る。図５Ｂは、内視鏡７２の一部の詳細図であり、第１センサ７６、及び隣接する第２センサ７８を示す。センサ７６，７８は、各々、別々のセンサワイヤ７６’，７８’に、隣り合うセンサ、例えばセンサ７６，７８間の電気抵抗、例えばＲ１が、組織領域に接触したときに測定され得るように接続され得る。図５Ｃは、センサ７６，７８が組織７９に接触している様子を示す。内視鏡７２が組織内に前進され、又は組織から引き出されるとき、隣り合うセンサ間の抵抗値が、患者１８内での内視鏡７２の位置を決定するために測定され得る。図５Ｄに見られるように、抵抗値は、装置が患者１８の内部に前進されるときに、センサ１，２，３・・と示されている隣り合う各センサ間にて順次測定され得る。これは、抵抗が無限大である（Ｒ≒∞）センサ（センサが身体の外部で測定される場合）と、抵抗が無限大より非常に小さい（Ｒ≪∞）センサ（センサが身体内部で組織に囲まれて測定される場合）との間で測定された抵抗値を関連付けることによっても達成され得る。
【００３１】
[0074]先に述べたように、圧力又は力、静電容量、及び抵抗の測定値以外の他の出力変数も、内視鏡の挿入深さを決定するために用いられ得る。例えば、湿度又はｐＨセンサも用いられ得る。湿度又はｐＨ値は、身体内への挿入により劇的に変化するからである。温度又は熱流束の検知も、温度センサ、例えば、サーミスタ、サーモカップル（熱電対）などを、内視鏡本体に沿った様々な位置に配置することにより用いられ得る。温度検知は、空気と身体との温度差を利用し得る。別の代替例は、内視鏡の内部を、身体温度より高温又はより低温の範囲の温度に加熱又は冷却することを含み得る。こうして、内視鏡に出入りする、得られた熱流束（内視鏡の内部温度に依存）をモニタリングして、内視鏡のどの部分が身体組織と接触しているかを決定し得る。別の代替例は光検知を含み得る。これは、光センサを内視鏡本体に沿った位置に配置することによる。こうして、内視鏡の挿入深さを位置付けるために、身体外部と身体内部との光強度の差が決定され得る。或いは、音波又は他の圧力波、超音波、誘導近接センサなども用いられ得る。
【００３２】
[0075]内視鏡本体上に配置されるセンサを用いることにおいて、患者の内部への内視鏡の挿入深さを決定及び記録するために、図６に示されているようにアルゴリズムを用い得る。アルゴリズムのこのバリエーションは、内視鏡が患者に挿入され又は患者から引き出されるときにセンサの各々が連続的にトリガーされるという原理に基づいて動作する。最新の挿入深さ、すなわち、最新で有効なトリガーされたセンサを記録し追跡し続けるために、レジスタを用い得る。内視鏡及びアルゴリズムは、有効とみなされるセンサの読み取りが、挿入、引出し又は停止が示され得るように、同じセンサ又は隣接するセンサによりトリガーされた読み取りであるように構成され得る。他のセンサトリガーは、有効なセンサトリガーがレジスタを更新させ得る間、無視又は拒絶されることができる。
【００３３】
[0076]このようなアルゴリズムは、先に記載した装置のいずれにも、誤測定を排除し、挿入深さの正確な測定を維持するために実行され得る。ステップ８０は、アルゴリズムの開始を、センサがトリガーされることを内視鏡が待っている（８２）状態として示す。センサがトリガーされていないならば（８４）、アルゴリズムは、「いいえ」を表示し、装置はトリガー信号を待機し続ける。センサがトリガーされた（８４）ことが示されたとき、トリガー信号の比較が行われる、これは、検知された信号が、隣接するセンサからのものかどうか（８５）を比較するためのものであり、トリガーされたセンサの情報を、センサレジスタ８８内の記憶されたレジスタ情報と比較することにより行われる。もし、トリガー信号が隣のセンサからのものでなければ、信号は誤信号として拒絶され（８７）、内視鏡は、センサがトリガーされることを待機する状態に戻る（８２）。しかし、レジスタ８８に記憶された値と比較したときに、トリガー信号が隣接するセンサからのものであれば、レジスタ８８は新しいセンサ情報で更新され（８６）、内視鏡は、別のセンサがトリガーされるのを待機し続ける（８２）。
【００３４】
外部検知装置を用いる内視鏡
[0077]挿入深さを測定するように機器装備された上記の内視鏡に加え、別の内視鏡が存在する。これらの内視鏡は、内視鏡の挿入深さを測定及び／又は記録するように構成された別個の装置と共に用いられ得る。この別個の装置を、外部検知装置、又は、基準若しくは基準装置と称し得る。これらの用語は本文中で互換的に用いられる。なぜなら、外部検知装置は、その機能の一部で、内視鏡及び／又は患者の位置に対する基準点としても機能し得るからである。この基準装置は、内視鏡の外部に配置されることができ、且つ、患者の身体の内部又は外部に配置され得る。従って、内視鏡と基準装置との相互作用は、直接的接触相互作用又は非接触的相互作用であり得る。さらに、基準装置は、位置情報を検知し又は読み取るように構成され得る。この検知又は読み取りは、内視鏡の本体に沿って配置され得るセンサ又はトランスポンダのステータスを、内視鏡が身体内に、例えば肛門を通って入っていくときにポーリングすることにより行われる。或いは、基準装置は、センサ又はトランスポンダを、限られた領域又は区域内でのみ検知するように構成され得る。基準装置は、患者の外部に配置されることができ、例えば、患者が置かれているベッド又は台上に配置され、別のカートに取り付けられ、又は、患者の身体の内部若しくは外部に着脱可能に取り付けられなどして配置され得る。
【００３５】
[0078]図７Ａ及び図７Ｂは、内視鏡組立体９０を、外部の検知装置又は基準装置９６と共に用いることにおける一バリエーションを示す。基準装置９６は、患者１８の外部に、体腔への開口に隣接して、例えば結腸鏡処置のためには肛門２０に隣接して配置され得る。これに応じて、基準装置９６は、開口部１００の付近に配置されたセンサ又はリーダ９８を有し得る。開口部１００は、内視鏡９２が肛門２０に入るために通されるガイドとして用いられ得る。内視鏡９２は、内視鏡９２の本体に沿って配置された多数のタグ９４、例えばセンサ、トランスポンダなどを有するように構成され得る。これらのタグ９４は内視鏡９２に沿って一定の間隔で配置され得る。タグ９４間の間隔は変えられることができ、これは、内視鏡の位置の決定における所望の精度にも対応し得る。タグ９４は、より正確な読み取りをもたらすためには、互いに近接して配置され得る。反対に、タグ９４を、互いにより遠ざけて配置すると、より精度の低い決定がもたらされ得る。さらに、タグ９４は、互いに対して均一の距離を有して配置されることができ、或いは、所望の結果に応じて不規則な間隔で配置され得る。また、タグ９４は、所望の結果に応じて、内視鏡９２の全長に沿って配置されても、又は、内視鏡９２の一部のみに沿って配置されてもよい。図７Ｂに示されているように、内視鏡９２が、開口部１００を介して基準装置９６を通過し、肛門２０に入るとき、基準装置９６内に配置されたリーダ９８が、タグ９４の各々を、タグ９４が開口部１００を通過するときに検知し得る。従って、内視鏡９２の方向及び挿入深さが、内視鏡９２のリアルタイムの位置情報のために記録され、且つ／又は維持され得る。
【００３６】
[0079]多数の技術がタグ９４に用いられ得る。例えば、一バリエーションにおいて、ＲＦ（無線周波）識別タグ又はアンテナとして構成されたタグ９４が用いられ得る。従って、リーダ９８は、ＲＦ受信装置として構成され得る。各タグ９４は、例えば位置情報（例えば、特定のタグ９４の、内視鏡９２の遠位端からの距離）によりコード化され得る。従って、リーダ９８は、或る領域又はゾーンのみを読み取るように構成され得る。例えば、リーダ９８は、開口部１００を通過するＲＦタグのみ、又は、肛門２０付近にあるタグのみを読み取り得る。或いは、ＲＦタグは、例えば先に記載したような圧力スイッチのステータスを、挿入長さが決定されるために基準装置９６に伝達するように構成され得る。
【００３７】
[0080]タグ９４の別のバリエーションは、超音波検知のためのタグを構成するものであり得る。例えば、各タグ９４は、内視鏡９２に沿って配置された圧電トランスデューサ又はスピーカとして構成され得る。従って、リーダ９８は、位置情報を、同調されたトランスデューサすなわちタグ９４（各々がその位置情報を伝達する）から受信するための超音波受信器として構成され得る。或いは、光学センサをタグ９４として用い得る。このバリエーションにおいては、各タグ９４は、内視鏡９２の外面上に配置された、コード化された受動的マーカとして構成され得る。これらのマーカは、慣用のバーコード、カスタムバーコード、カラーパターンなどの形態であり得、これらは各々、さらに、方向性移動、すなわち挿入又は引出しを示すように構成され得る。また、各タグ９４は、コード化されたアクティブマーカ、例えば、コード化されたパターンで点滅し得るＬＥＤとして構成され得る。従って、リーダ９８は、光学センサとして構成され得る。
【００３８】
[0081]別の代替例は、タグ９４及びリーダ９８を、赤外線（ＩＲ）検知のために構成することであり得る。この場合、ＩＲエミッタ（赤外線放出源）が、内視鏡９２の長さに沿って配置されることができ、ＩＲエミッタすなわちタグ９４の各々が、内視鏡９２に沿った各々の位置に従って特定の周波数で光を放出するように構成される。従って、リーダ９８は、異なる周波数の光を受信し、検知された特定の周波数を内視鏡９２の長さに対して位置づけるためのＩＲレシーバ（赤外線受信器）として構成され得る。さらに別の代替例は、基準装置９６内の磁気リーダが装置の位置を読み取ることができるように磁気的に構成されたタグ９４を有することであり得る。これについて、以下にさらに詳細に記載する。
【００３９】
[0082]さらに別の代替例は、基準装置及び内視鏡組立体を、線状のケーブルトランスデューサ組立体として構成することであり得る。このバリエーションにおいては、リーダ９８が、ケーブル、ワイヤ又は他の何らかの柔軟な部材を有するトランスデューサとして構成され得る。ケーブル、ワイヤなどの柔軟な部材はリーダ９８から延在し、内視鏡９２の遠位端に取り付けられる。基準装置９６は患者の外部に維持され、且つ患者に対して固定位置に維持されるが、内視鏡９２は、リーダ９８からのケーブル又はワイヤを引きながら、患者の内部で前進され得る。ケーブル又はワイヤの近位端は、マルチターンポテンショメータ（多重巻線電位差計）と電気的に連通しているケーブル又はワイヤのスプールに取り付けられ得る。内視鏡９２が後退（引き出し）されるときにケーブル又はワイヤを引き戻すために、スプールは、ケーブル又はワイヤをスプール上に引き戻させるように付勢され得る。こうして、ワイヤの長さの変化が、リーダ９８すなわちポテンショメータの、延ばされた或る長さのケーブルへの出力に関連づけられ、従って、患者内に挿入された内視鏡９２の長さへの出力に関連づけられ得る。
【００４０】
[0083]さらに別の代替例は、例えばマルチターンポテンショメータ、エンコーダなどに連結されたローラを基準装置９６上に取り付けることであり得る。これらのローラは、内視鏡９２が前進されるときにローラが第１の方向に回転し、内視鏡９２が後退されるときにローラが第１方向と反対の方向に回転するように、内視鏡９２と直接接触して構成され得る。ローラの回転及び回転数が、内視鏡９２の挿入深さの長さと関連付けられ得る。
【００４１】
[0084]さらに別の代替例は、本文中に記載した内視鏡、又は内視鏡のいずれかを、患者の身体内の画像を形成することができる慣用の画像技術と共に用いることであり得る。例えば、画像技術のいずれか１つ、例えば、Ｘ線、蛍光透視法、コンピュータ断層撮影法（ＣＴ）、磁気共鳴映像法（ＭＲＩ）、磁界位置測定システムなどを、挿入深さを決定するために、本文中に記載された内視鏡と共に用い得る。
【００４２】
[0085]さらに別の代替例において、基準装置は、内視鏡からの位置情報を、基準装置９６などの基準装置上に配置された１又は複数の圧力センサを用いて検知するために用いられ得る。圧力センサは、基準装置９６上に、内視鏡が前進又は後退されるときに内視鏡９２に押し付けられ得るように配置され得る。この圧力センサは、例えばスイッチとして構成されることができ、或いは、内視鏡９２上の何らかの特徴物、例えば、パターン化された組織、凹部、デテントなどを検知するように構成されることもでき、これらの特徴物は、圧力スイッチに内視鏡９２の挿入深さを示すために、所定の長さ、又は長さ間隔で配置されている。
【００４３】
[0086]さらに別の代替例は、図７Ｃに見られるように、患者内に挿入された内視鏡本体の直径の変化を検知することである。内視鏡の挿入長さは、各々が固有の直径を有する複数のセクションを有し得る。例えば、最も遠位のセクション１０２は最も小さい直径を有することができ、近位の連続するセクション１０４，１０６は、各々、漸増的に、より大きい直径を有し得る。或いは、連続するセクションが、交互に異なる直径寸法を有し得る。すなわち、第１のセクションが第１の直径を有し、第２のセクションが、より大きい第２の直径を有し、第３のセクションが、第１の直径と等しい直径、又は第２の直径よりも大きい直径を有するというような配列である。内視鏡の直径のこのような差異は、内視鏡の挿入深さを、基準装置１０８を用いて検知するために用いられることができ、基準装置１０８は、内視鏡との接触を維持し、且つ、図に矢印で示されているように内視鏡の直径の変化に応じて移動するように構成され得る。直径を参照するこのような装置及び方法は、独立に、又は、本文中に記載した他の方法のいずれかと共に、内視鏡の位置が、他の検知方法を用いた結果と一致することを確認するための検査体として用いられ得る。
【００４４】
[0087]図８は、内視鏡組立体の別の例である組立体１１０を示す。組立体１１０において、内視鏡１１２が、内視鏡１１２の本体に沿って配置された多数のセンサ又はタグ１１４を有し得る。内視鏡１１２が肛門２０から前進又は後退されるため、患者の外部に、内視鏡１１２から或る距離を有して取り付けられ得る基準装置１１６が、先に記載したバリエーションのいずれかに組み込まれたレシーバ又はリーダ１１８を有し得る。例えば、レシーバ又はリーダ１１８は、ＲＦレシーバ、超音波レシーバ、光学センサとして、又は、先に記載した他のバリエーションのいずれかとして機能し、肛門２０付近のタグ１１４のみを読み取り、これらのタグ１１４の内視鏡１１２上での位置を把握し、そしてそれにより挿入長さを決定するように適合され得る。
【００４５】
[0088]リーダ１１８が光学センサとして構成されるならば、リーダ１１８は、さらに、光源、例えばＬＥＤ、レーザ、カーボンなどを、基準装置１１６内に用い得る。この光源は、リーダ１１８内のデジタルシグナルプロセッサ（ＤＳＰ）に接続されたＣＣＤ又はＣＭＯＳ画像システムと共に用いられ得る。光源は、内視鏡１１２に沿って所定の間隔で配置されたマーキングを照明するために用いられ得る。或いは、マーキングを完全に省き、ＣＣＤ又はＣＭＯＳイメージングシステムを用いて、内視鏡の表面に沿って通常存在する不規則性を簡単に検知し得る。内視鏡が光源及びリーダ１１８を通過するとき、内視鏡の移動が検知され、これが、挿入深さを示すように関連付けられ得る。
【００４６】
[0089]図９は、内視鏡組立体の別のバリエーションである組立体１２０を示す。組立体１２０にて、内視鏡１２２が、内視鏡１２２の長さに沿って配置された多数のセンサ１２４を有し得る。これらのセンサ１２４は、以下により詳細に説明するように、ホール効果タイプのセンサとして構成され得る。基準装置１２６は、内視鏡を通す内視鏡ガイド１２８を内部に画成しているリング磁石として構成されることができ、これにより、磁界がセンサ１２４に対して垂直に画成される。従って、センサ１２４は、センサの各々がガイド１２８を通過するときに磁石１２６と相互作用し得る。ホールセンサ１２４が基準装置１２６を通過するとき、センサ１２４は、或るセンサが基準装置１２６を通過することを示す電圧差を検知し得る。これらのタイプのセンサに関し、以下により詳細に記載する。
【００４７】
[0090]内視鏡が患者から前進又は後退されているときの内視鏡の方向を決定するために、方向情報が、先に記載した例のいずれかを用いて得られる。別の例は、互いに対して予め決められた距離を有して配置された少なくとも２以上のセンサを用いることである。図１０は、第１センサ１３２及び第２センサ１３４を有するセンサ検知組立体１３０を示す一バリエーションの図である。第１センサ１３２と第２センサ１３４は、互いに対して予め決められた距離ｄを有して配置され得る。内視鏡１３６がセンサ組立体１３０を通過して前進又は後退されるとき、内視鏡１３６の移動方向１３８は、各センサ１３２，１３４から受信される信号を検査及び比較することにより決定され得る。どちらのセンサが、立ち上がりエッジ又は入力信号を、他方のセンサによりも最初に受信したかを判断することにより、移動方向１３８が決定され得る。図１１Ａに示されているように、プロット１４０は、第１センサ１３２から受信された信号を概略的に示す。位置ｘ＝１から位置ｘ＝２にて、信号の上昇が測定され、従って、プロット１４０のピークが、プロット１４２における位置ｘ＝１から位置ｘ＝２の信号（図１１Ｂに見られる、第２センサ１３４から受信される信号）が測定される前に検知される。従って、第１の移動方向、例えば挿入が、プロット１４０の信号とプロット１４２の信号を相対比較することにより示され得る。もし、内視鏡１３６が反対方向に移動されている（例えば引き出されている）ならば、第２センサ１３４が第１センサ１３２よりも先にピークを検知することになろう。
【００４８】
[0091]内視鏡の移動方向を決定するためのより詳細な説明を以下に示す。図１２Ａ〜図１２Ｄは、第１センサ１５０及び第２センサ１５２を用いて内視鏡の移動方向を決定するための様々な場合を示す。第１センサ１５０と第２センサ１５２は、内視鏡がこれらのセンサの付近を通過するときに、好ましくは、互いに対して予め決められた距離を有している。この説明のために、右に向かう方向は、内視鏡装置の第１の移動方向、例えば身体への挿入を示し、左に向かう方向は、内視鏡装置の第１移動方向と反対の第２の移動方向、例えば身体からの引き出しを示すものとする。
【００４９】
[0092]図１２Ａは、プロット１５４により示されているように、第１センサ１５０が、第２センサ１５２により測定される電圧よりも低い電圧を測定する状況を示す。第１センサ１５０と第２センサ１５２が共に電圧の降下を測定するならば、これは、内視鏡の、右側への移動を示し、反対に、第１センサ１５０と第２センサ１５２が共に電圧の増大を測定するならば、内視鏡の、左側への移動を示し得る。図１２Ｂは、別の状況、すなわち、プロット１５６により示されているように、第１センサ１５０が、第２センサ１５２により測定される電圧よりも高い電圧を測定する状況を示す。第１センサ１５０と第２センサ１５２が共に電圧の増大を測定するならば、これは、内視鏡が右側に移動したことを示し得る。しかし、第１センサ１５０及び第２センサ１５２が共に電圧の降下を測定したならば、これは、内視鏡が左側に移動したことを示し得る。
【００５０】
[0093]図１２Ｃは、別の状況、すなわち、プロット１５８により示されているように、第１センサ１５０が、第２センサ１５２により測定される電圧と等しい電圧を測定する状態を示す。この場合、第１センサ１５０が、電圧の増大を、これもまた電圧の増大を測定する第２センサ１５２よりも先に測定したならば、これは、内視鏡が右側に移動したことを示し得る。反対に、第２センサ１５２が第１センサ１５０よりも先に電圧の増大を測定したならば、これは、内視鏡が左側に移動したことを示し得る。図１２Ｄは、最後の状況をプロット１６０で示す。すなわち、これもまた、第１センサ１５０が、第２センサ１５２により測定される電圧と等しい電圧を測定する場合である。この場合、図１２Ｃに示した状態と反対の状態が生じている。例えば、第１センサ１５０により測定される電圧が、第２センサ１５２により測定される電圧よりも先に降下するならば、これは、内視鏡が右側に移動することを示す。しかし、第２センサ１５２が、降下する電圧を、第１センサ１５０により測定される電圧降下よりも先に測定するならば、これは、内視鏡が左側に移動したことを示す。
【００５１】
[0094]図１３は、内視鏡が身体から前進されているか、又は後退されているかを決定するための１つの方法として用いられ得るアルゴリズムの一バリエーションを示す。図１３は、上記の様々な決定が、アルゴリズムの一バリエーションのためにどのように組み合わされ得るかを示す。図に見られるように、アルゴリズムは、ステップ１７０から開始する。ステップ１７２において、最初のステップである、第１センサ１５０が第２センサ１５２よりも大きい電圧を測定するかどうかの決定が行われる。第１センサ１５０が第２センサ１５２よりも大きい電圧を測定するならば、第２の決定がステップ１７４にて行われることができ、ステップ１７４にて、センサ１５０，１５２の両方により測定される電圧が増大しているか増大していないかに関して決定が行われ得る。両方の電圧が増大しているならば、ステップ１７８は、内視鏡が挿入されていることを示し得る。この時点で、内視鏡の位置及び内視鏡の部分的位置、すなわち、最後の測定以来内視鏡が移動した距離を決定することができ、アルゴリズムはステップ１７２に戻って次回の測定を待機し得る。
【００５２】
[0095]しかし、ステップ１７２において、第１センサ１５０が第２センサ１５２よりも高い電圧を測定しなければ、ステップ１７６において別の決定が、すなわち、センサ１５０とセンサ１５２により測定された電圧が等しいかどうかの決定が行われ得る。これらの電圧が等しくなければ、アルゴリズムはステップ１８０に進み、ステップ１８０にて、さらに別の決定、すなわち、両方の電圧が増大しているかどうかの決定が行われ得る。両方の電圧が増大していなければ、先に記載したようにステップ１７８が行われる。両方の電圧が増大していれば、ステップ１８４は、内視鏡が引き出されていることを示し得る。この時点で、内視鏡の位置及び内視鏡の部分的位置、すなわち、最後の測定以来内視鏡が移動した距離を決定することができ、アルゴリズムはステップ１７２に戻って次回の測定を待機し得る。
【００５３】
[0096]ステップ１７６において、第１センサ１５０により測定される電圧と第２センサ１５２により測定される電圧が等しければ、アルゴリズムは、ピーク電圧が検知されたかどうかを決定するためにステップ１８２にて待機し得る。ピーク電圧が検知されたならば、ステップ１８６が、挿入カウントを増分する。しかし、ピークが検知されなければ、ステップ１８８が、挿入カウントを減分する。挿入カウントが増分されるか又は減分されるかに関係なく、アルゴリズムはステップ１７０に戻って、次回の測定を待機し得る。
【００５４】
[0097]内視鏡の挿入深さの測定に関する特定の一バリエーションは、磁気的検知、特に、ホール効果を利用した検知を用い得る。概して、ホール効果とは、センサ、例えば、磁界に対して垂直な電流を伝導する導体に、横方向の電圧差が現れることである。この電圧差が、検知要素を流れる磁束密度に直接比例している。永久磁石、電磁石、又は他の磁界源が、磁界をもたらすためにホール効果センサに組み込まれ得る。通過する物体、例えば、別の永久磁石、鉄材料、又は、磁界を変化させる他の材料が磁界を変えると、ホール電圧の変化がトランスデューサにより測定され得る。
【００５５】
磁気的検知装置を用いる内視鏡
[0098]図１４は、ホール効果センサ組立体１９０の全体を概略的に示し、図１４に、導体又はセンサ１９２が、磁石１９４，１９６，１９８（それぞれ、距離ｘ１，ｘ２，ｘ３を有する）を通過するときに、これらの磁石から距離ｄを維持する様子が示されている。各磁石は、隣合う磁石の極性が互いに反対になるように、又は、隣合う磁石の極性が同一であるように配置され得る。センサ１９２が通過するとき、どの磁石の付近にセンサ１９２があるかを示すために電圧差が測定され得る。
【００５６】
[0099]図１５は、ホール効果センサを用いるための一般的な適用例を示す一バリエーションを示す。図示されているように、センサ組立体２００は、磁石２０２を有する一バリエーションを示し、第１センサ２０４及び第２センサ２０６が磁石２０２の付近に配置されている。磁石２０２は、永久磁石であっても電磁石であってもよい。第１センサ２０４，第２センサ２０６は、電源（図示せず）に接続され、且つ、互いに対して予め決められた距離を有して配置されている。また、センサ２０４，２０６は、両方共、磁石２０２から予め決められた距離に配置され得る。内視鏡２０８の概略図が、個々の連結部、又は椎骨状部２１０を露出するように示されている。椎骨状部２１０は内視鏡の構造の一部を含み得る。これは、先に記載した、本文に援用する参照文献のいずれかに、より詳細に記載されている。概略的に示されているように、各椎骨状部２１０は、隣りの椎骨状部と、連結部２１２を介して連結されている。この連結が、内視鏡が蛇行路内を関節運動することを可能にし得る。内視鏡２０８は、内視鏡が患者の開口から挿入され又は引き出されるときに、センサ組立体２００を、組立体２００から所定距離を有して通過し得る。椎骨状部２１０の各々、又は選択された個数の椎骨状部２１０を、鉄材料から、又は、磁界を変化させ若しくは磁界に作用し得る他の材料からつくることができ、或いは、鉄材料を椎骨状部２１０に組み込み得る。従って、内視鏡２０８が、第１センサ２０４，第２センサ２０６を通過するとき、鉄を含む椎骨状部２１０が、磁石２０２により発生された磁界を通過し、磁界を横切り、そして、対応する電圧測定をセンサ２０４，２０６に行わせる。内視鏡２０８の移動方向、すなわち挿入又は引き出し、及び内視鏡の挿入深さが、先に記載した方法のいずれかを用いることにより決定され得る。
【００５７】
[0100]別のバリエーションが図１６に示されており、図１６は、センサが内視鏡２２６自体の上に配置され得る、ホール効果を用いた検知の概略図２２０を示す。磁石２２２は、内視鏡２２６が患者に挿入され又は患者から引き出されるときに磁石２２２の付近を通過するように、例えば患者の肛門付近に配置され得る。内視鏡２２６は、内視鏡２２６の本体に沿って配置された多数の不連続のホールスイッチ２２８を有する。内視鏡２２６が磁石２２２を通過するとき、磁力線２２４が、付近を通過するスイッチ２２８を遮断し得る。ホールスイッチ２２８は、２極スイッチ、単極スイッチ、ラッチスイッチ、アナログスイッチなどであってよく、内視鏡２２６の挿入長さを決定するために、全抵抗Ｒ１−２を決定するように用いられ得る。
【００５８】
[0101]図１７Ａ及び図１７Ｂは、ホールセンサによる位置決定のための別のバリエーションを示す。図１７Ａは、内視鏡の個々の椎骨状部２３２の付近に配置されたセンサ組立体２３０を示す。椎骨状部２３２が１個だけ示されているのは、図説の明瞭化のためである。図に見られるように、椎骨状部２３２が磁石２３４の直ぐ近くにあるとき、磁束線２３８は中断され、センサ２３６を通過させられる。センサ２３６を通過する磁束線２３８が、センサ内を流れる電流を中断させることができ、これにより、内視鏡の通過を示し得る。図１７Ｂは、図１７Ａの椎骨状部を示すが、図１７Ｂでは、内視鏡２３０が、わずかに前進又は後退されて、磁石２３４が、隣り合う椎骨状部２３２と椎骨状部２３２’との間に配置された様子を示す。椎骨状部が磁石２３４のすぐ近くにないとき、磁束線２３８’は、正常な、妨害されていない状態に戻ることができ、従ってセンサ２３６も磁束により妨害されない。センサ２３６内の電流の回復が、内視鏡２３０がセンサ組立体２３０に対して移動されたことを示す。
【００５９】
[0102]図１８は、組立体の別のバリエーションである組立体２４０を示す。組立体２４０において、センサ測定におけるより明確な効果をもたらすために、不連続の磁石２４８が個々の椎骨状部２４２上に配置され得る。磁石２４８は、均一な磁界を内視鏡周囲に半径方向に形成するために内視鏡の長手方向軸に沿って配置され得る。不連続の磁石２４８は、永久磁石であっても、或いは電磁石であってもよい。いずれの場合においても、磁石は、所望の測定結果に応じて、椎骨状部の個数と同数、若しくはより少数、又は、内視鏡本体に沿った選択された様々な位置に配置され得る。図示されているように、不連続磁石２４８が取り付けられた椎骨状部２４２が磁石２４４の付近に運ばれるとき、これらの磁石間の相互作用が、ホールセンサ２４６がより明確な測定を行えるように、磁束の相互作用２５０を増大させる。内視鏡本体に沿って配置される個々の各磁石２４８の極性は、位置により変えられ得るが、内視鏡本体上の隣り合う磁石の極性は、好ましくは、互いに反対である。
【００６０】
[0103]或いは、固有の磁気特性を有する多数の磁石を、内視鏡の長さに沿った予め決められた位置に配置し得る。各磁石２４８は、内視鏡に沿った各磁石の位置を示し得るので、特定の磁気特性を有する磁石が検知されると、内視鏡の挿入深さに関連付けられ得る。磁石２４８は、固有の磁気特性、例えば、磁界強度における測定可能な変化、交流磁界（電磁石が用いられているのであれば）逆極性などを有し得る。
【００６１】
[0104]図１９Ａ及び図１９Ｂは、組立体のさらに別のバリエーションである組立体２６０を示す。組立体２６０において、２つ以上の磁石を別の配置で用い得る。第１の磁石２６２が、第２の磁石２６４に対して、結合された磁束線２６８が各磁石に従って相互作用するように或る角度に配置され得る。従って、各磁石２６２，２６４の極性は、図示されているように、互いに対して反対であり得る。センサ２６６は、妨害されていない磁力線２６８がセンサ２６６を通過するように配置され得る。椎骨状部２７０がセンサ２６６の付近を通ると、図１９Ｂの組立体２６０’に示されているように、妨害された磁束線２６８’は、椎骨状部２７０との相互作用により、もはやセンサ２６６を通過しないように変化され得る。或いは、センサ２６６を通る磁界線２６８の強度が、椎骨状部２７０が通過するときに変化され得る。
【００６２】
[0105]図２０は、不連続の磁石が内視鏡組立体の個々の椎骨状部の各々に配置され得る、さらに別のバリエーションを示す。図示されているように、センサ組立体２８０は、明瞭化のために、内視鏡の椎骨状部２８２のみが示されている。第１の配向を有する不連続の磁石２８４が１つおきの椎骨状部２８２に配置され、第２の配向を有する不連続の磁石２８６が磁石２８４の間の１つおきの椎骨状部２８２に配置され得る。従って、内視鏡が、例えば移動方向２９２に沿って移動されると、各椎骨状部２８２にて交互の方向を有する磁束線２８８をセンサ２９０が検知できる。測定された交互の磁束線は、第１の方向又は第２の方向への内視鏡の移動を示すものとして用いられ得る。磁石の各々は、椎骨状部の片側に外面に沿って配置され得る。しかし、磁石を周方向に配置してもよく、これを、以下にさらに詳細に説明する。
【００６３】
[0106]図２１Ａ及び図２１Ｂは、それぞれ、磁石の配置の別の代替例の側面図及び断面図を示す。図２１Ａは、内視鏡組立体３００の側面図を示す。組立体３００において、第１の配向を有する多数の磁石３０４が内視鏡３０２の周囲に周方向に配置され得る。第１の配向に対して反対の配向を有する多数の磁石３０６もまた、内視鏡３０２の周囲に周方向に、磁石３０４から長手方向に距離ｄ隔てられて配置され得る。不連続の磁石を内視鏡３０２の周囲に周方向に配置することにより、センサ３０８を通過するときの内視鏡３０２の回転方向は、装置の挿入深さの決定において、より重要でなくなる。図２１Ｂは、図２１Ａの装置の断面図であり、磁石３０４がどのように周囲に配置され得るかを示す一例である。このバリエーションは、磁石３０４の「Ｎ極」が内視鏡３０２の半径方向外側に向けられ、「Ｓ極」が半径方向内側に向けられている様子を示すが、この向きは、周方向に隣り合う磁石の組を同様に好ましく逆にするならば、逆にされ得る。この図において、７個の磁石が周方向の組の各々に示されているが、実際に、より少数又はより多数の、任意の数の磁石を用い得る。
【００６４】
[0107]図２２Ａは、さらに別のバリエーションを示す。このバリエーションにおいて、内視鏡３１０は、内視鏡３１０の外面上の各椎骨状部３１２にて周方向に配置された、不連続の磁石３１２を有する。内視鏡３１０が肛門２０を通って挿入されるとき、ホールセンサ３１４が肛門２０付近に配置されることができ、これにより、センサ３１４が不連続の磁石３１２を、これらの磁石が肛門２０を通って入るときに読み取り又は測定できる。図２２Ｂは、さらに別のバリエーションを示す。このバリエーションにおいて、内視鏡組立体３２０は、個々の椎骨状部３２６が幾らかの強磁性材料３２８を有し得る内視鏡３２２を有し得る。強磁性材料３２８は、椎骨状部３２６上に又は椎骨状部３２６内に一体化され又は取り付けられる。強磁性材料３２８は、椎骨状部３２６上に一体化されるために、又は椎骨状部３２６の一部の上にコーティング配置されるために、バンド、コーティング、又は他の非妨害的な形状の形態を有し得る。潤滑性の表面をもたらすために、シース又はスキン３２４が椎骨状部３２６上に配置され得る。椎骨状部３２６の間に、非磁性領域３３０が、椎骨状部３２６の間と強磁性材料３２８の間とを分離させるために維持され得る。また、強磁性材料３２８は、椎骨状部を有する内視鏡に遡及的に適用され得るだけでなく、挿入深さの決定が要求される他の従来の内視鏡にも用いられ得る。内視鏡３２２が磁石３３２を通過するとき、センサ３３４が、強磁性材料３２８を有する領域が通過するときの磁束線３３６への干渉を検知し得る。さらに、内視鏡３２２は、センサ３３４から距離ｈを有して通過され得る。距離ｈは、正確な測定を可能にするために、センサ３３４から十分に近く、且つ、内視鏡３２２の移動を妨害しないように十分に遠い。
【００６５】
[0108]図２３は、従来の内視鏡を、本文中に記載したホールセンサ基準装置のいずれかと共に用い得るさらに別のバリエーションを示す。図示されているように、細長い支持体又はツール３３７が、多数の磁石３３８、若しくは鉄材料、又は、磁界を変化させ若しくは磁界に作用し得る他の材料を有し得る。これらの材料は、ツールに沿って所定間隔で配置されている。磁石３３８は、ツール３３７の長さに沿って、隣り合う磁石の極性が交互に変わり、又は極性が等しいように配置され得る。さらに、磁石３３８はツール３３７内に一体的につくられることができ、又は、ツール３３７の周囲に巻き付けられ得るワイヤフォーム又は部材としてつくられ得る。ツール３３７は、本文中に記載される基準装置と共に用いるための任意の従来の内視鏡の作用管腔３３９内に配置され得る。ツール３３７を含むことにより、従来の、又は、機器装備された内視鏡の挿入深さの決定が可能になり得る。従来の内視鏡を用いても、ツール３３７は診査処置中に作用管腔３３９内に確実に保持され得る。ツール３３７は、処置中に別のツールの挿入を可能にするために随意に取り外されることができ、そして後に管腔３３９内に再挿入されて内視鏡の挿入及び／又は引出しを続行し得る。
【００６６】
[0109]図２４Ａ〜図２４Ｃは、永久磁石、鉄材料、又は、磁界を変化させ若しくは磁界に作用し得る他の材料を、個々の椎骨状部に取り付けるための別のバリエーションの斜視図を示す。図２４Ａは、椎骨状部３４０が、椎骨状部３４０の外面３４４に沿って周方向に画成された切欠き又は溝３４２を有して製造され得る一バリエーションを示す。鉄材料、又は、磁界を変化させ若しくは磁界に作用し得る他の材料、例えば永久磁石からつくられたリングが切欠き３４２内に配置され得る。図２４Ｂは別のバリエーションを示し、このバリエーションにおいては、永久磁石又は他のこのような材料からつくられた成形リング３４８を、別個に形成して椎骨状部３４６に取り付け得る。図２４Ｃは、さらに別のバリエーションを示し、このバリエーションにおいて、鉄材料、又は、磁界を変化させ若しくは磁界に作用し得る他の材料、例えば永久磁石からつくられたワイヤフォーム３５４を、椎骨状部３５０の切欠き３５２内に配置し得る。或いは、鉄粉を環状に成形して切欠き３５２内に配置してもよい。別の代替例は、椎骨状部全体を単純に鉄材料から製造することであり得る。或いは、単に、椎骨状部又は椎骨状部の一部を鉄材料コーティングにより覆ってもよい。
【００６７】
[0110]ホールセンサを利用するための別の代替例が図２５Ａ及び図２５Ｂに見られる。図２５Ａに見られるバリエーションは、磁石３６４がその上に取り付けられ得る固定されたプラットフォーム３６０を有し得る。圧力センサ又はマイクロフォースセンサ３６２が、磁石３６４とプラットフォーム３６０の間に配置され得る。内視鏡が磁石３６４の付近を通過されるため、磁石３６４が椎骨状部３６６に、椎骨状部３６６が付近を通過するときに引き付けられ得る。椎骨状部３６６は、引力及び／又は反発力を高めるために、先に記載したような、鉄材料、又は、磁界を変化させ若しくは磁界に作用し得る他の材料を随意に含み得る。磁石３６４が磁力により引かれ、又は反発されるとき、圧力センサ３６２が、これに対応する正又は負の力の値を、内視鏡の挿入深さと相互関連させるために記録し得る。図２５Ｂは、磁石３６８が圧力ゲージ３７０（例えば、アメテック社(Ametek, Inc.)により製造されたシャティロン(Chatillon)（商標）ゲージ）に取り付けられ得る別の例を示す。内視鏡が磁石３６８を、磁石から或る距離ｈを有して通過するとき、磁石３６８と椎骨状部３６６の間の引力及び／又は反発力が、通過に従ってゲージ３７０により測定され、内視鏡の挿入深さに同様に関連付けられ得る。
【００６８】
[0111]さらに別のバリエーションが、図２６Ａ及び図２６Ｂに組立体３８０にて示されている。静止している基準装置を通過する内視鏡の線状の動きを利用するのではなく、回転可能な基準装置３８２が、挿入長さを記録するために用いられ得る。基準装置のホイール３８２は、内視鏡３８６の移動を検知しながらピボット３８４を中心に回転するように構成され得る（内視鏡３８６は、明瞭化のために椎骨状部の概略図のみが示されている）。基準装置のホイール３８２は、ホイール３８２の周囲に組み込まれた多数の磁石３９８を有し得る。各磁石は、極性が交互に異なるように配置され、或いは、同一極性で配置され得る。また、磁石３９８の各々は、好ましくは、互いに対して、内視鏡３８６の本体に沿って配置された磁石３８８，磁石３９０又は永久磁石間の直線距離と等しい間隔を有して配置される。永久磁石の代わりに、鉄材料、又は、磁界を変化させ得る他の材料を用い得る。内視鏡３８６が移動されて基準装置３８２を通過するとき、内視鏡３８６の、基準装置３８２を通過する線状の移動に対応して、ホイール３８２が回転する。
【００６９】
[0112]内視鏡３８６が通過するときに生じる基準装置３８２の回転は、様々な方法で検知されることができる。１つの例は、回転式の光学エンコーダを含み、別の例は、基準装置ホイール３８２上の磁石３９８の移動を、磁石が固定位置に対して回転するときに、例えばホール効果センサ又は磁気抵抗センサにより測定されるように検知することを含む。基準装置ホイール３８２が内視鏡３８６の線状移動に従って回転するとき、基準装置ホイール３８２は内視鏡３８６に直接接触することができ、又は、薄い材料が、ホイール３８２を内視鏡３８６の本体から分離し得る。図２６Ｂは、ハウジング３９２に回転可能に取り付けられ得る、基準装置ホイール３８２の組立体の一バリエーションを示す。ハウジング３９２は、支柱又は支持体３９４に連結され得る。支持体３９４はハウジング３９２から延在し、基準装置ホイール３８２を、患者、診察台、スタンド又は他の任意の台に固定するための支持部材をもたらし得る。支持体３９４は、また、任意のケーブル、ワイヤ、コネクタなどを、ハウジング３９２及び／又は基準装置ホイール３８２に導くために用いられ得る。関連するセンサ及び様々な補助電子素子、例えば、回転式エンコーダ、磁界センサなどもハウジング３９２内に配置され得る。支持体３９４は、基準装置ホイール３８２が内視鏡３８６の移動を、内視鏡が患者の内部に入り又は患者から出るときに追跡することを可能にするためのフレキシブルジョイント３９６を、随意にさらに含み得る。
【００７０】
外部の検知装置の例
[0113]外部の検知装置、又は基準装置は、先に記載したように、内視鏡及び／又は患者の位置に対する基準位置として機能し得る。従って、基準装置は、内視鏡の外部に、且つ患者の身体の内部又は外部に配置され得る。処置中に何等かの大きな移動があっても患者が移動できないように横たえられるのであれば、基準装置は、例えば診察台、処置カートなどに固定されることにより、固定基準点として機能し得る。或いは、基準装置は、内視鏡を患者の身体に挿入する地点に対する固定位置にて、患者に直接取り付けられ得る。本文中に記載する基準装置のバリエーションは、先に記載した検知及び測定方法のいずれも利用し得る。
【００７１】
[0114]例えば、結腸鏡検査のためには、基準装置を患者の身体上の肛門付近に配置し得る。基準装置を配置する位置は、理想的には、肛門に対する移動が最小限の位置である。なぜなら、このような処置中に、患者が位置を変え、痙攣、屈曲などして内視鏡の測定を妨げることがあるからである。従って、基準装置は、身体上の幾つかの場所の１つに配置され得る。
【００７２】
[0115]１つの位置は、殿裂に沿った位置であり得る。殿裂は、殿筋の間に画成された、一般に肛門から下背に向かって延在する溝である。殿裂は、概して、脂肪層及び筋肉をほとんど又は全く有さず、また、肛門に対して、認められる程度の移動をしない。或いは、基準装置は、肛門付近の殿筋上に直接配置されてもよい。
【００７３】
[0116]基準装置を殿裂４０８に沿って配置するための一バリエーションを図２７に示す。基準装置４００は、肛門２０の付近に配置され得る検知装置の遠位端に配置されたセンサ４０２を有し得る。基準装置自体が殿裂４０８内に配置されることができ、患者の適切な位置に、接着材４０６を用いて一時的に取り付けられ得る。基準装置は、ワイヤ又はケーブルを介して延在するコネクタ４０４を、プロセッサ（図示せず）との接続のために有し得る。
【００７４】
[0117]別のバリエーションが図２８に示されている。このバリエーションにおいて、基準装置４１０は、基板を含むベースを有し得る。基板は、患者の背中の腰部に取り付けられ得る接着側を有し得る。細長い柔軟な部材又はアーム４１２が基板から延在し、部材４１２の遠位端４１４が肛門２０の付近にあるように、殿裂内に、又は殿裂に接触して配置され得る。遠位端４１４の内部に、内視鏡が肛門２０を通されるときに内視鏡の移動を検知するためのセンサが内部に取り付けられ得る。柔軟な部材４１２は、装置の過度の移動を防止するために、例えば接着テープを用いて、殿裂に沿って固定され得る。
【００７５】
[0118]図２９Ａ及び図２９Ｂは、図２８に示した基準装置４１０のバリエーションの詳細図である。図２９Ａは、患者１８への基準装置４１０の可能な配置の別の図である。基板は肛門２０付近に配置されることができ、部材４１２は殿裂に沿って延在し、センサ端４１４を、肛門２０より近位の、肛門２０の付近に配置する。図２９Ｂは、基準装置４１０が配置され、センサ及び電子素子が配置され得る基板４２０を有する様子を示す。基板４２０は、先に記載したように、患者１８に一時的に取り付けられるための接着性の裏材を有し得る。さらに、基準装置４１０、又は、本文中に記載した基準装置の他の例のいずれもが、患者に一回限り使用される使い捨てであるように随意に構成され得る。補助電子装置４２２を基板４２０上に随意に配置することができ、センサ４２６が、柔軟な部材又はアーム４１２の端部又はその付近にて遠位端４１４内に配置され得る。随意に用いられる磁石４２８が、部材４１２に沿って、センサ４２６より近位に配置され得る。コネクタ４２４が、プロセッサに接続されるために基準装置４１０からワイヤ又はケーブルを介して延在し得る。
【００７６】
[0119]別のバリエーションが図３０Ａ及び図３０Ｂに示されている。このバリエーションは、センサ４３６を有する基準装置基板４３０を示し、センサ４３６は、肛門２０付近に配置されるために、細長い柔軟な組立体４３４の遠位端内に配置されている。コネクタ４３２が、プロセッサへの接続のために設けられ得る。ここで、細長い部材４３４は、殿裂又は殿裂内に、例えば接着ストリップ４３８を用いて固定され得る。図３０Ｂは、殿裂に接して配置された細長い組立体４３４を上方から見下ろした断面図である。スポンジ、シリコーン製の楔状部、又は、他の何らかの楔状機構４４０が、基準装置を肛門２０に対して確実に配置することを保証するために、細長い組立体４３４と接着ストリップ４３８との間に配置され得る。
【００７７】
[0120]図３１は使い捨ての基板を用い得る、基準装置の別のバリエーションを示す。基準装置組立体４５０は、患者に取り付けるための基板４５２を有し得る。保持ポケット４５４を、基板４５２内又は基板４５２上に画成することができ、保持ポケット４５４は、再使用可能な電子センサ組立体４５８が内部に配置されることを可能にするように構成され得る。センサ組立体４５８は、組立体４５８から延在するワイヤ又はケーブル４６２を有することができ、さらに、センサ組立体４５８上に配置され又は埋め付けられたセンサ４６０を有し得る。センサ組立体４５８は、基板４５２内に画成された開口部４５６を通して滑り入れることにより、ポケット４５４内に配置され得る。また、センサ組立体４５８は、好ましくは、センサ４６０が肛門付近に配置されることを可能にするために、センサ４６０が基板４５２の遠位端に配置されるよう、ポケット４５４内に配置される。
【００７８】
[0121]基準装置を配置するための別のバリエーションは、肛門付近の殿筋上に直接配置することである。概して、センサ及び関連する回路を、パッチ又は他の小さい基台に組み込むことができ、これらが肛門付近の殿筋に取り付けられ得る。基準装置の全体が、接着性の裏材を有する包帯状のパッケージ上に随意に取り付けられ得る。図３２Ａ及び図３２Ｂは、小さい基台として形成された、基準装置の一バリエーションである装置４７０を示し、装置４７０からコネクタ４７２が延在している。基準装置４７０は、患者１８の肛門２０の付近に、接着剤４７４を介して一時的に取り付けられ得る。内視鏡を基準装置４７０に対して配置し、方向付け、又はガイドするためのガイド、傾斜路又は他の類似の構造物４７６が、装置に随意に組み込まれ得る。
【００７９】
[0122]図３３Ａは、基準装置の別のバリエーションである基準装置４８０を示す。この例において、基準装置４８０は、センサ４８２がその上に配置されたパッチの形態であり得る。装置は、殿筋上に、センサ４８２が肛門２０付近にあるように配置され得る。図３３Ｂは、基準装置４８０が肛門２０付近の殿筋上にどのように配置され得るかを詳細に示す。図示されているように、接着剤４８４が基準装置４８０上に、装置を殿筋上に一時的に取り付けるために配置され得る。図３３Ｃは、基準装置４８０が肛門２０から前進又は後退されるときにどのように内視鏡４８６と相互作用し得るかの例を示す。基準装置４８０は比較的小さい直径Ｄを有し得るため、患者への不快感が減らされ、また、肛門２０の付近に配置されることが保証され得る。内視鏡４８６が基準装置４８０を通過するとき、基準装置４８０内のセンサが挿入深さを測定し得る。ゾーン４８８が、操作ゾーンを、すなわち、結腸鏡処置中に操作者又は外科医の手が動作する大体の領域を概略的に示す。基準装置４８０の直径が小さく、装置が肛門２０に隣接して配置されるため、概して、処置中の操作者又は外科医の邪魔にならず、従って、基準装置４８０による正確な測定又は検知を維持しながら内視鏡４８６を妨害されずに操作することを可能にする。
【００８０】
[0123]図３４は、基準装置のさらに別のバリエーションである装置４９０を示す。基準装置４９０は、端部にセンサ４９４が取り付けられた基板を有し得る。補助電子素子４９２を基準装置４９０上に随意に取り付けることができ、ワイヤ又はケーブル４９６が、センサ４９４から測定された信号を伝達するために用いられ得る。基準装置４９０は、図示されているように、単一の殿筋上に配置されるために、三角形の形状であり得る。これにより、基板の頂点が肛門２０付近に配置されて、内視鏡４９８が肛門２０内に前進又は肛門２０から後退されるときにセンサ４９４が信号を検知又は測定することを可能にする。このバリエーションにおいて、基準装置は三角形の形状で示されているが、これは形状を限定するためのものではなく、基準装置の可能な形状の１つを例示するためのものに過ぎない。
【００８１】
[0124]別のバリエーションが図３５に示されており、このバリエーションにおいて、基準装置５００が多数のセンサを組み込み得る。基準装置５００は、単一の殿筋上に配置されて、挿入領域５０８を画成し、ここに患者の肛門が配置され得る。これにより、センサ５０２，５０４，５０６の各々が、内視鏡が挿入領域５０８を通過するときに内視鏡を検知し又は読み取るように構成され得る。この構成においては３つのセンサが示されているが、基準装置５００の構造及び所望の信号処理結果に応じて、より少数又はより多数のセンサを用い得る。
【００８２】
[0125]図３６は、基準装置５１０が硬質のハウジングに包囲され得る、さらに別のバリエーションを示す。このように、基準装置５１０は補助電子素子５１２を内部に封入し、センサ５１４がハウジングの一端に向けられている。ハウジングはコネクタ５１６を組み込むことができ、このコネクタは、基準装置５１０から延在するワイヤ又はケーブルを介して取り付けられ得る。硬質のハウジングは、患者の殿筋上に、先に記載した方法と同様の方法で一時的に貼り付けられ得る。
【００８３】
[0126]図３７は、基準装置のさらに別のバリエーションを示し、このバリエーションにおいて、基準装置５２０は、殿裂を横切って延在して、基準装置に画成された開口部が患者の肛門の上に配置されるように構成され得る。図示されているように、接着性基板５２２が、例えば「バタフライ」形状に構成され得る。基板５２２は、殿裂を横切って殿筋の各々に付着する、少なくとも２つのウィング又はフラップ５２４を有することができ、センサ５２６及び補助電子素子５２８が、基板５２２の中央又はその付近に画成された開口部５３４付近に収容され得る。センサ５２６及び補助電子素子５２８は、基板５２２上でハウジング５３０内に埋め込まれ、又は収容され得る。コネクタ５３２が、プロセッサへの接続のために、ワイヤ又はケーブルを介して取り付けられ得る。
【００８４】
[0127]基準装置は、また、内視鏡が身体内に入っていくときに内視鏡を取り囲むように構成され得る。このような基準装置の構造は、ＲＦなどの検知技術を用いる場合に有用であろう。ＲＦの場合、基準装置は、先に記載したような、内視鏡に沿って取り付けられた構成要素又はセンサとのＲＦ信号の交信を容易にするために、環状の形状であり得る。環状の基準装置の構造の一バリエーションが図３８Ａ及び図３８Ｂに示されている。図示されているように、基準装置５４０は、遠位端に画成された、ＲＦ信号などの信号の受信器及び／又はガイドループとして機能するループ５４２を有し得る。基準装置５４０は、殿裂４０８に沿って位置合わせされ、所定位置に接着テープ５４４で固定され得る。コネクタ５４６が、基準装置５４０に、ワイヤ又はケーブルを介して基準装置５４０の第１端部にて取り付けられることができ、センサ５４８は、基準装置５４０の反対側の端部に配置され得る。センサ５４８は肛門２０付近に配置されることができ、ループ５４２は肛門２０の開口を取り囲む。ループ５４２は、内視鏡が通過され得る挿入領域５５０を画成し得る。ループ５４２は、薄い柔軟な材料、例えばマイラーからつくられることができ、肛門２０周囲の組織上に配置するための接着性裏材を随意に有し得る。ループ５４２は、円形の形状で示されているが、様々な環状の形状を有することができ、円形の形状に限定されない。
【００８５】
[0128]さらに別のバリエーションが図３９に示されている。このバリエーションにおいて、支持衣類５６０、例えば一枚のパンツが、肛門２０を取り囲む領域に開口部５６２を画成し得る。ループ５６４が生地に、ループが開口部５６２を取り囲むように組み込まれ得る。ループ５６４の中央の生地は、処置中に取り外し可能であっても、又は全く省かれてもよい。ループ５６４への接続が、コネクタ５６６を通して行われ得る。コネクタは、例えば衣類５６０のウェストバンド、前部又は側部から延在するワイヤ又はケーブルを介して接続されることができる。
【００８６】
[0129]結腸鏡検査法以外に、他の用途が、低侵襲性外科手術（ＭＩＳ）での使用を含み得る。低侵襲性手術は、典型的に、長く細いツールを小切開部を介して身体に、例えば、しばしばカニューレを通して挿入することに依存する。ＭＩＳにて典型的に用いられる器具は、硬質の内視鏡、腹腔鏡、胸腔鏡、ニードルドライバ、クランプなどを含み得る。これらのツールの各々が身体の開口を通過しなくてはならないため、基準装置が、器具の挿入深さを追跡するために身体開口付近で用いられ得る。カニューレを用いる場合、カニューレ自体が、先に記載した方法の１つを用いて機器装備され得る。
【００８７】
[0130]他のタイプの内視鏡処置のために、様々なタイプの柔軟な内視鏡、例えば、上部消化管内視鏡、十二指腸内視鏡、Ｓ状結腸鏡、気管支鏡、神経内視鏡、ＥＮＴ（耳鼻咽喉）内視鏡などが用いられ得る。これらのタイプの内視鏡のいずれの挿入深さを維持するためにも、先に記載した装置及び方法のいずれもが、利用及び構成され得る。例えば、経口的に身体に挿入される柔軟な内視鏡のために、基準装置として構成されたマウスピースを用い得る。
【００８８】
[0131]先に論じた装置及び方法の適用は、身体の領域に限定されず、任意の数のさらなる処置用途を含み得る。他の処置部位は、身体の他の領域又は範囲を含み得る。さらに、本発明は、他の環境、例えば、パイプシステム、ダクトなどの探査作業においても用いられ得る。本発明を実行するための、先に記載した組立体及び方法の変更、並びに、当業者に明らかな本発明の態様のバリエーションは、特許請求の範囲内にあるものとする。
【００８９】
なお、本発明は以下のような変形例とすることもできる。
［変形例１］
キャビティ内に挿入することができる細長い器具の位置を決定するための装置であって、細長い器具の付近に配置されるようになっている少なくとも１つのセンサと、前記センサの付近に配置される少なくとも１つの磁界源とを備え、前記センサは、さらに、細長い器具が前記センサに対して前進又は後退されるときに細長い器具の移動を検知するようになっている、装置。
［変形例２］
キャビティの位置に対して固定されるようになっている変形例１に記載の装置。
［変形例３］
患者の身体の上又は身体内に、前記センサがキャビティに対して固定位置にあるように配置される変形例２に記載の装置。
［変形例４］
患者の身体の外部の台の上に、前記センサがキャビティに対して固定位置にあるように配置される変形例２に記載の装置。
［変形例５］
前記センサが、電流が流されることが可能な導体を含む変形例１に記載の装置。
［変形例６］
前記センサが前記磁界源と前記細長い器具との間に配置される変形例１に記載の装置。
［変形例７］
さらに、追加のセンサを、少なくとも１つの前記センサの付近に備える変形例１に記載の装置。
［変形例８］
前記センサが、前記細長い器具から予め決められた距離に配置される変形例１に記載の装置。
［変形例９］
前記磁界源が永久磁石を含む変形例１に記載の装置。
［変形例１０］
前記磁界源が電磁石を含む変形例１に記載の装置。
［変形例１１］
前記センサが、前記磁界源により発生された磁界に対して垂直に配置される変形例１に記載の装置。
［変形例１２］
前記細長い器具が、前記器具の長さの少なくとも一部に沿って配置された複数の強磁性材料又は磁石を含む変形例１に記載の装置。
［変形例１３］
前記強磁性材料又は磁石の各々が、前記長さに沿って、隣り合う磁石の極性が交互に異なるように配置された変形例１２に記載の装置。
［変形例１４］
前記強磁性材料又は磁石の各々が、前記長さに沿って、隣り合う磁石の極性が同一であるように配置された変形例１２に記載の装置。
［変形例１５］
前記強磁性材料又は磁石の各々が、互いに対して予め決められた距離に配置された変形例１２に記載の装置。
［変形例１６］
前記強磁性材料又は磁石の各々が、前記細長い器具の周囲に固定されるように構成されている変形例１２に記載の装置。
［変形例１７］
前記強磁性材料又は磁石の少なくとも１つが、前記器具に沿った位置を示す固有の磁気特性を含む変形例１２に記載の装置。
［変形例１８］
前記強磁性材料又は磁石の各々が、前記器具に沿った位置を各々が示す固有の磁気特性を含む変形例１７に記載の装置。
［変形例１９］
さらに、細長いツールを備え、当該ツールが、ツールの長さの少なくとも一部に沿って配置された複数の強磁性材料又は磁石を有し、且つ、前記細長い器具の作用チャネル内に挿入されるようになっている変形例１に記載の装置。
［変形例２０］
前記強磁性材料又は磁石の各々が、ツールの長さに沿って、隣り合う磁石の極性が交互に異なるように配置された変形例１９に記載の装置。
［変形例２１］
前記強磁性材料又は磁石の各々が、ツールの長さに沿って、隣り合う磁石の極性が同一であるように配置された変形例１９に記載の装置。
［変形例２２］
前記強磁性材料又は磁石の各々が、互いに対して予め決められた距離に配置された変形例１９に記載の装置。
［変形例２３］
前記強磁性材料又は磁石の各々が前記細長いツールの周囲に固定されるように構成されている変形例１９に記載の装置。
［変形例２４］
さらに、前記磁界源付近に配置された圧力センサを備え、当該センサが、前記器具がセンサに対して前進又は後退されるときに、磁界発生物からの圧力を検知する変形例１に記載の装置。
［変形例２５］
さらに、複数のさらなる磁界源を備え、当該磁界源が、センサと連通している回転可能なプラットフォームの周囲に配置されている変形例１に記載の装置。
［変形例２６］
前記磁石の各々が、前記周囲に、隣り合う磁石の極性が交互に異なるように配置された変形例２５に記載の装置。
［変形例２７］
さらに、センサに取り付けられたコネクタを備える変形例１に記載の装置。
［変形例２８］
さらに、センサを取り付けることができる基板を備える変形例１に記載の装置。
［変形例２９］
前記基板が、面に一時的に取り付けられるための接着性裏材を含む変形例２８に記載の装置。
［変形例３０］
前記基板が、センサが取り付けられることができる細長く且つ柔軟な部材を含む変形例２８に記載の装置。
［変形例３１］
前記基板が当該基板上にポケットを画成し、前記センサがポケット内に着脱可能に配置されることができる変形例２８に記載の装置。
［変形例３２］
前記基板が、身体上に画成されている殿裂の片側付近に配置されるようになっている変形例２８に記載の装置。
［変形例３３］
前記基板が、身体上に画成されている殿裂を横切って配置されるようになっている変形例２８に記載の装置。
［変形例３４］
前記基板が、当該基板内に、前記細長い器具が挿入されることができるアクセス開口部を画成している変形例３３に記載の装置。
［変形例３５］
患者により装着される衣類に配置可能である変形例１に記載の装置。
［変形例３６］
キャビティ内での位置を決定するように構成された機器であって、
近位部、及び、選択的に操縦可能な遠位部を有する細長い装置と、
前記細長い装置の長さの少なくとも一部に沿って配置された少なくとも１つの導電回路とを備え、
前記回路が、キャビティ内への前記細長い装置の挿入深さを、前記回路内の変化を示すことにより示すようになっており、前記回路内の変化が、前記長さに沿った、前記細長い装置がキャビティ内に入っている位置を示す機器。
［変形例３７］
前記少なくとも１つの導電回路が、前記長さの少なくとも一部に沿った連続回路を含む変形例３６に記載の機器。
［変形例３８］
前記少なくとも１つの導電回路が、前記細長い装置の外側部材内に配置された柔軟な回路を含む変形例３６に記載の機器。
［変形例３９］
前記少なくとも１つの導電回路が、キャビティの外部に配置された接地電極と電気接続するようになっている変形例２８に記載の機器。
［変形例４０］
前記接地電極がパッドを含む変形例３９に記載の機器。
［変形例４１］
前記導電回路が、前記接地電極と誘導結合されるようになっている変形例３９に記載の機器。
［変形例４２］
前記導電回路が、前記接地電極と容量結合されるようになっている変形例３９に記載の機器。
［変形例４３］
前記少なくとも１つの導電回路が、前記細長い装置の長さの少なくとも一部に沿って互いに対して予め決められた間隔で配置された複数の導電スイッチを含む変形例３６に記載の機器。
［変形例４４］
各スイッチは、当該スイッチがキャビティ内に入ったときに導電回路を閉じるようになっており、これにより、閉じたスイッチが、前記長さに沿った、細長い装置がキャビティ内に入っている位置を示す変形例４３に記載の機器。
［変形例４５］
各スイッチが、圧力、静電容量、導電性、湿度，ｐＨ、温度、光強度、抵抗及び光抵抗から成る群から選択される出力の変化を検知するようになっている変形例４３に記載の機器。
［変形例４６］
少なくとも１つの導電回路が、前記長さに沿って遠位方向に延在する複数の導電リードを含み、前記長さに沿った予め決められた複数の位置の各々にて、これに対応する前記リードの少なくとも２つが終端となる変形例４３に記載の機器。
［変形例４７］
少なくとも１つの導電回路が、前記長さに沿った予め決められた位置に配置された複数の導電接触部を含み、隣り合う各接触部が、互いに対して予め決められた距離に、隣接する接触部がキャビティ内に入ったときに導電回路が閉じられるように配置されている変形例３６に記載の機器。
［変形例４８］
前記回路が、さらに、前記細長い装置の、キャビティの外部にある部分を示すようになっている変形例３６に記載の機器。
［変形例４９］
キャビティ内に挿入可能な細長い器具の位置を決定するための装置であって、
患者の身体の上又は内部に配置するための基板と、
前記基板上に、身体への開口付近にあるように配置されることができる少なくとも１つのセンサとを備え、
前記センサが、前記細長い器具が前記開口を通って前進又は後退されるときに細長い器具の移動を検知するようになっている、装置。
［変形例５０］
さらに、前記基板上に配置可能な少なくとも１つの磁界源を備える変形例４９に記載の装置。
［変形例５１］
前記磁界源が前記センサ付近に配置される変形例５０に記載の装置。
［変形例５２］
前記センサが前記開口に対して固定されるようになっている変形例４９に記載の装置。
［変形例５３］
前記センサが圧力センサを含み、当該圧力センサが、前記細長い器具に接触し、且つ、当該器具が前進又は後退されるときに圧力変化を検知するようになっている変形例４９に記載の装置。
［変形例５４］
前記センサが、さらに、前記細長い器具の直径の変化を、当該器具が前記開口を通って前進又は後退されるときに検知するようになっている変形例４９に記載の装置。
［変形例５５］
前記センサが、さらに、前記細長い器具との接触を維持し、直径の変化が検知されたときにそれに従って移動するようになっている変形例５４に記載の装置。
［変形例５６］
前記基板が、身体に一時的に取り付けられるための接着性裏材を含む変形例４９に記載の装置。
［変形例５７］
前記基板が、センサが取り付けられることができる細長く且つ柔軟な部材を含む変形例４９に記載の装置。
［変形例５８］
前記基板が当該基板上にポケットを画成し、前記センサがポケット内に着脱可能に配置されることができる変形例４９に記載の装置。
［変形例５９］
前記基板が、前記開口付近に画成されている殿裂の片側付近に配置されるようになっている変形例４９に記載の装置。
［変形例６０］
前記基板が、身体上に画成されている殿裂を横切って配置されるようになっている変形例４９に記載の装置。
［変形例６１］
前記基板が、身体上に画成されている殿裂に沿って又は殿裂内に配置されるようになっている変形例４９に記載の装置。
［変形例６２］
前記基板が、当該基板内に、前記細長い器具が挿入されることができるアクセス開口部を画成している変形例４９に記載の装置。
［変形例６３］
患者により装着される衣類に配置可能である変形例４９に記載の装置。
［変形例６４］
キャビティ内に挿入可能な細長い器具の位置を決定するための方法装置であって、
少なくとも１つのセンサをキャビティの開口付近に配置することと、
前記センサの付近に磁界を設けることと、
前記細長い器具を、前記センサ付近の前記開口を通して通過させ、これにより前記磁界を変化させることと、
前記磁界の変化を前記細長い器具の移動に関連付けることとを含む方法。
［変形例６５］
前記少なくとも１つのセンサを配置することが、前記センサを前記開口に対して固定された関係で配置することを含む変形例６４に記載の方法。
［変形例６６］
前記少なくとも１つのセンサを配置することが、少なくとも１つの追加のセンサを前記開口付近に配置することを含む変形例６４に記載の方法。
［変形例６７］
前記少なくとも１つのセンサを配置することが、前記センサを患者の身体上又は身体内に配置することを含む変形例６４に記載の方法。
［変形例６８］
前記少なくとも１つのセンサを配置することが、前記センサを患者の身体の外部の台に配置することを含む変形例６４に記載の方法。
［変形例６９］
前記少なくとも１つのセンサを配置することが、前記センサを前記磁界と前記細長い器具との間に配置することを含む変形例６４に記載の方法。
［変形例７０］
前記少なくとも１つのセンサを配置することが、前記センサを基板上に配置することを含む変形例６４に記載の方法。
［変形例７１］
前記少なくとも１つのセンサを配置することが、前記センサを、基板から延在する細長く柔軟な部材上に配置することを含む変形例７０に記載の方法。
［変形例７２］
前記少なくとも１つのセンサを配置することが、前記センサを、基板により画成されたポケット内に着脱可能に配置することを含む変形例７０に記載の方法。
［変形例７３］
前記少なくとも１つのセンサを配置することが、前記センサを、身体上に画成された殿裂の片側付近に配置することを含む変形例６４に記載の方法。
［変形例７４］
前記少なくとも１つのセンサを配置することが、前記センサを、身体上に画成された殿裂を横切って配置することを含む変形例６４に記載の方法。
［変形例７５］
前記少なくとも１つのセンサを配置することが、前記センサを、身体上に画成された殿裂に沿って又は殿裂内に配置することを含む変形例６４に記載の方法。
［変形例７６］
前記少なくとも１つのセンサを配置することが、前記センサを、磁界に対して垂直方向に配置することを含む変形例６４に記載の方法。
［変形例７７］
細長い器具が前記開口を通過する前又は通過している間に前記センサに電流を流すことをさらに含む変形例６４に記載の方法。
［変形例７８］
前記磁界を設けることが、少なくとも１つの磁石を前記センサ付近に配置することを含む変形例６４に記載の方法。
［変形例７９］
前記磁界を設けることが、少なくとも１つの電磁石を前記センサ付近に配置することを含む変形例６４に記載の方法。
［変形例８０］
さらに、複数の磁石を、前記細長い器具に沿って予め決められた位置に、細長い器具が前記開口を通過する前に、隣り合う磁石の極性が交互に異なるように配置することを含む変形例６４に記載の方法。
［変形例８１］
さらに、複数の磁石を、前記細長い器具に沿って予め決められた位置に、細長い器具が開口を通過する前に、隣り合う磁石の極性が同一であるように配置することを含む変形例６４に記載の方法。
［変形例８２］
前記細長い器具を通過させることが、磁界を、磁界が安定してセンサを通らないように変化させることをさらに含む変形例６４に記載の方法。
［変形例８３］
前記磁界の変化を関連付けることが、前記細長い器具を前記開口に通して前進又は後退させているときの挿入深さを決定することを含む変形例６４に記載の方法。
【図１Ａ】
0005312540.tif 000002
【図１Ｂ】
0005312540.tif 000003
【図１Ｃ】
0005312540.tif 000004
【図１Ｄ】
0005312540.tif 000005
【図２Ｂ】
0005312540.tif 000006
【図３Ａ】
0005312540.tif 000007
【図３Ｂ】
0005312540.tif 000008
【図４】
0005312540.tif 000009
【図５Ａ】
0005312540.tif 000010
【図５Ｂ】
0005312540.tif 000011
【図５Ｃ】
0005312540.tif 000012
【図５Ｄ】
0005312540.tif 000013
【図６】
0005312540.tif 000014
【図７Ａ】
0005312540.tif 000015
【図７Ｂ】
0005312540.tif 000016
【図７Ｃ】
0005312540.tif 000017
【図８】
0005312540.tif 000018
【図９】
0005312540.tif 000019
【図１０】
0005312540.tif 000020
【図１１Ａ】
0005312540.tif 000021
【図１１Ｂ】
0005312540.tif 000022
【図１２】
0005312540.tif 000023
【図１３】
0005312540.tif 000024
【図１４】
0005312540.tif 000025
【図１５】
0005312540.tif 000026
【図１６】
0005312540.tif 000027
【図１７Ａ】
0005312540.tif 000028
【図１７Ｂ】
0005312540.tif 000029
【図１８】
0005312540.tif 000030
【図１９Ａ】
0005312540.tif 000031
【図１９Ｂ】
0005312540.tif 000032
【図２０】
0005312540.tif 000033
【図２１Ａ】
0005312540.tif 000034
【図２１Ｂ】
0005312540.tif 000035
【図２２Ａ】
0005312540.tif 000036
【図２２Ｂ】
0005312540.tif 000037
【図２３】
0005312540.tif 000038
【図２４Ａ】
0005312540.tif 000039
【図２４Ｂ】
0005312540.tif 000040
【図２４Ｃ】
0005312540.tif 000041
【図２５Ａ】
0005312540.tif 000042
【図２５Ｂ】
0005312540.tif 000043
【図２６Ａ】
0005312540.tif 000044
【図２６Ｂ】
0005312540.tif 000045
【図２７】
0005312540.tif 000046
【図２８】
0005312540.tif 000047
【図２９Ａ】
0005312540.tif 000048
【図２９Ｂ】
0005312540.tif 000049
【図３０Ａ】
0005312540.tif 000050
【図３０Ｂ】
0005312540.tif 000051
【図３１】
0005312540.tif 000052
【図３２Ａ】
0005312540.tif 000053
【図３２Ｂ】
0005312540.tif 000054
【図３３Ａ】
0005312540.tif 000055
【図３３Ｂ】
0005312540.tif 000056
【図３３Ｃ】
0005312540.tif 000057
【図３４】
0005312540.tif 000058
【図３５】
0005312540.tif 000059
【図３６】
0005312540.tif 000060
【図３７】
0005312540.tif 000061
【図３８Ａ】
0005312540.tif 000062
【図３８Ｂ】
0005312540.tif 000063
【図３９】
0005312540.tif 000064
【図２Ａ】
0005312540.tif 000065